(57)【特許請求の範囲】
【請求項１】
ディスプレイパネルと、
前記ディスプレイパネルに近接して配設された電気的に切替可能な拡散体であって、前記切替可能な拡散体は１つ又は２つ以上の領域を有し、かつ前記切替可能な拡散体は拡散体状態を有し、前記１つ又は２つ以上の領域のそれぞれが第１の状態、又は前記第１の状態とは異なる第２の状態になることが可能である、電気的に切替可能な拡散体と、
前記ディスプレイパネルと前記切替可能な拡散体との間に配設されるか、又は前記ディスプレイパネルと反対側の前記切替可能な拡散体に隣接して配設される、照明要素と、
拡散体状態を制御し、かつ前記ディスプレイパネルの出力レベルを制御するように構成された、拡散体コントローラと、を備える光学システムであって、
前記拡散体コントローラは、前記切替可能な拡散体の第１の拡散体状態を変えるかどうかを判定するように構成されており、前記拡散体コントローラが第１の拡散体状態を変えると判定する場合、前記拡散体コントローラは前記切替可能な拡散体を、前記第１の拡散体状態から第２の拡散体状態に第１の時間間隔にわたって切り替えるように構成されており、
前記拡散体コントローラは、前記第１の拡散体状態から前記第２の拡散体状態への変化と関連して前記ディスプレイパネルの出力レベルを変動するかどうかを判定するように構成されており、前記拡散体コントローラが前記出力レベルを変動すると判定する場合、前記拡散体コントローラは前記出力レベルを、前記第１の時間間隔と重なり合う第２の時間間隔にわたって変動するように構成されており、
前記拡散体コントローラは、少なくとも１つの拡散体状態の変化に関連して前記出力レベルを変動するように構成されており、
前記電気的に切替可能な拡散体がクリアな状態を有するときに、前記照明要素が光出力を提供し、
前記拡散体コントローラは、前記ディスプレイパネルが、前記第２の時間間隔の前にゼロでない初期出力レベルを有し、前記第２の時間間隔の後に前記初期出力レベルと異なるゼロでない最終出力レベルを有し、前記第２の時間間隔の間に減光された出力レベルを有するように、少なくとも１つの拡散体状態の変化に関連して出力レベルを変動するように構成されている、光学システム。
【請求項２】
前記切替可能な拡散体は双安定性であり、かつ、前記光学システムは、切替装置と、前記ディスプレイパネル及び前記照明要素を収容するディスプレイハウジングと、を更に備え、前記切替装置は前記ディスプレイハウジングから分離されており、前記切替装置は、前記ディスプレイハウジングが前記切替装置と近接した少なくとも１つの位置にあるときに、スイッチング波形を前記切替可能な拡散体に印加可能である、請求項１に記載の光学システム。
【請求項３】
ディスプレイパネルと、
前記ディスプレイパネルに近接して配設された、双安定性の、電気的に切替可能な拡散体であって、前記切替可能な拡散体は１つ又は２つ以上の領域を有し、前記切替可能な拡散体は拡散体状態を有し、前記１つ又は２つ以上の領域のそれぞれが第１の状態、又は前記第１の状態とは異なる第２の状態になることが可能である、双安定性の、電気的に切替可能な拡散体と、
前記ディスプレイパネルと前記切替可能な拡散体との間に配設されるか、あるいは前記ディスプレイパネルと反対側の前記切替可能な拡散体に隣接して配設される、照明要素と、
前記ディスプレイパネル、前記照明要素、及び前記切替可能な拡散体を収容する、ディスプレイハウジングと、
前記拡散体状態を制御するように構成された拡散体コントローラと、
前記ディスプレイハウジングの外にある切替装置であって、前記切替装置は、前記ディスプレイハウジングが前記切替装置に近接した少なくとも１つの位置にあるときに、スイッチング波形を前記切替可能な拡散体に印加可能である、切替装置と、を備える光学システムであって、
前記拡散体コントローラは、前記切替可能な拡散体の第１の拡散体状態を変えるべきかどうかを判定するように構成されており、前記拡散体コントローラが第１の拡散体状態を変えるべきと判定する場合で、かつ前記ディスプレイハウジングが前記切替装置に近接した少なくとも１つの位置にある場合には、前記拡散体コントローラは、前記切替可能な拡散体を、前記第１の拡散体状態から第２の拡散体状態に第１の時間間隔にわたって切り替えるために、前記切替装置に制御信号を提供するように構成されており、
前記電気的に切替可能な拡散体がクリアな状態を有するときに、前記照明要素が光出力を提供し、
前記拡散体コントローラは、前記ディスプレイパネルの出力レベルを制御するように更に構成され、前記拡散体コントローラは、前記第１の拡散体状態から前記第２の拡散体状態への変化と関連して前記ディスプレイパネルの出力レベルを変動するかどうかを判定するように構成されており、前記拡散体コントローラが前記出力レベルを変動すると判定する場合、前記拡散体コントローラは、前記出力レベルを前記第１の時間間隔と重なり合う第２の時間間隔にわたって変動するように構成され、
前記拡散体コントローラは、前記ディスプレイパネルが、前記第２の時間間隔の前にゼロでない初期出力レベルを有し、前記第２の時間間隔の後に前記初期出力レベルと異なるゼロでない最終出力レベルを有し、前記第２の時間間隔の間に減光された出力レベルを有するように、少なくとも１つの拡散体状態の変化に関連して出力レベルを変動するように構成されている、光学システム。
【請求項４】
前記拡散体コントローラは、前記照明要素の照明レベルを変動することによって前記ディスプレイパネルの前記出力レベルを変動するように構成されている、請求項１〜３のいずれか一項に記載の光学システム。
【請求項５】
前記拡散体コントローラは、前記照明要素を、前記ディスプレイパネルの前記出力レベルを変動する前には、第１の照明レベルに、前記ディスプレイパネルの前記出力レベルを変動後には、前記第１の照明レベルとは異なる第２の照明レベルに設定するように構成されている、請求項１〜３のいずれか一項に記載の光学システム。
【請求項６】
前記拡散体コントローラは、前記ディスプレイパネルに提供された映像コンテンツを変更することによって前記ディスプレイパネルの前記出力レベルを変動するように構成されている、請求項１〜３のいずれか一項に記載の光学システム。
【請求項７】
前記切替装置は、電源と、波形生成ユニットと、パターン発生器とを更に備え、前記電源は前記波形生成ユニット及び前記パターン発生器に電力を供給するように構成され、前記パターン発生器は前記波形生成ユニットに直接的に又は間接的に提供されるパターン信号を生成するように構成され、前記波形生成ユニットは、前記ディスプレイハウジングが前記切替装置に近接した少なくとも１つの位置にあり、かつ前記拡散体コントローラが前記切替可能な拡散体の前記第１の拡散体状態を変えるべきと判定するときに、一つの波形を前記切替可能な拡散体に提供するように構成されている、請求項２又は３に記載の光学システム。
【請求項８】
前記切替装置は、キャリア発生器と変調器とを更に備え、前記電源が前記キャリア発生器と前記変調器に電力を供給するように構成され、前記パターン発生器が前記パターン信号を前記変調器に提供するように構成され、前記変調器が変調信号を前記波形生成ユニットに提供するように構成されている、請求項７に記載の光学システム。
【発明の詳細な説明】
【背景技術】
【０００１】
高分子分散型液晶（ＰＤＬＣ）層は、可変視野角ディスプレイを提供するためにルーバーフィルムと併用して切替可能な拡散体として使用され得る。しかし、このような試みにはいくつかの欠点が存在する。例えば、ＰＤＬＣ層は、多くのディスプレイ用途において好ましくないほど十分に高いクリアな状態でのヘイズを有する。加えて、切替可能な拡散体の状態を変えるのに必要な回路機構は、スペースを取り、相当の電力を要求し、それによってＰＤＬＣベースの切替可能な拡散体は多くのディスプレイ用途で非実用的となる。したがって、可変視野角ディスプレイを改良するニーズが存在する。
【発明の概要】
【課題を解決するための手段】
【０００２】
本明細書のいくつかの態様では、ディスプレイパネル、電気的に切替可能な拡散体、照明要素及び拡散体コントローラを備える光学システムが提供される。切替可能な拡散体は、拡散体状態を有し、ディスプレイパネルに近接して配設され、１つ又は２つ以上の領域を含む。１つ又は２つ以上の領域のそれぞれは、第１の状態、又は第１の状態とは異なる第２の状態になることが可能である。照明要素は、ディスプレイパネルと切替可能な拡散体との間に配設されるか、あるいはディスプレイパネルと反対側の切替可能な拡散体に隣接して配設される。拡散体コントローラは、拡散体状態を制御し、かつディスプレイパネルの出力レベルを制御するように構成される。拡散体コントローラは、切替可能な拡散体の第１の拡散体状態を変えるかどうかを判定するように構成され、拡散体コントローラが第１の拡散体状態を変えると判定する場合、拡散体コントローラは切替可能な拡散体を、第１の拡散体状態から第２の拡散体状態に第１の時間間隔にわたって切り替えるように構成される。拡散体コントローラは、第１の拡散体状態から前記第２の拡散体状態への変化と関連してディスプレイパネルの出力レベルを変動するかどうかを判定するように構成され、拡散体コントローラが出力レベルを変動すると判定する場合、拡散体コントローラは出力レベルを、第１の時間間隔と重なり合う第２の時間間隔にわたって変動するように構成される。拡散体コントローラは、少なくとも１つの拡散体状態の変化に関連して出力レベルを変動するように構成される。
【０００３】
本明細書のいくつかの態様では、ディスプレイパネルと、ディスプレイパネルと近接して配設された双安定性の電気的に切替可能な拡散体と、照明要素と、ディスプレイハウジングと、拡散体状態を制御するように構成された拡散体コントローラと、ディスプレイハウジングの外にある切替装置と、を備える光学システムが提供される。切替可能な拡散体は１つ又は２つ以上の領域を有し、切替可能な拡散体は、ある拡散体状態を有する。１つ又は２つ以上の領域のそれぞれは、第１の状態、又は第１の状態とは異なる第２の状態になることが可能である。照明要素は、ディスプレイパネルと切替可能な拡散体との間に配設されるか、あるいはディスプレイパネルと反対側の切替可能な拡散体に隣接して配設される。ディスプレイハウジングは、ディスプレイパネル、照明要素、及び切替可能な拡散体を収容する。切換装置は、ディスプレイハウジングが切換装置に近接した少なくとも１つの位置にある場合、スイッチング波形を切替可能な拡散体に印加可能である。拡散体コントローラは、切替可能な拡散体の第１の拡散体状態を変えるべきかどうかを判定するように構成され、拡散体コントローラが第１の拡散体状態を変えるべきと判定する場合で、かつディスプレイハウジングが切替装置に近接した少なくとも１つの位置にある場合には、拡散体コントローラは、切替可能な拡散体を第１の拡散体状態から第２の拡散体状態に第１の時間間隔にわたって切り替えるべく、切替装置に制御信号を提供するように構成される。
【図面の簡単な説明】
【０００４】
【図１】光学システムの側面図である。
【図２】光学システムの側面図である。
【図３】切替可能な拡散体の正面図である。
【図４】光学システムの側面図である。
【図５Ａ】光学システムのブロック図である。
【図５Ｂ】光学システムのブロック図である。
【図６】光学システムのブロック図である。
【図７】光学システムのブロック図である。
【図８Ａ】ドックの斜視図である。
【図８Ｂ】図８Ａのドックに配設されたタブレットの斜視図である。
【図９】出力レベル対時間のグラフである。
【図１０】出力レベル対時間のグラフである。
【図１１】拡散体コントローラによって実行されるプロセスのフローチャートである。
【図１２】光学システムの側面図である。
【図１３】光学システムの側面図である。
【図１４】光学システムの側面図である。
【図１５】光学システムの側面図である。
【図１６】スイッチング波形の一部のグラフである。
【発明を実施するための形態】
【０００５】
以下の説明において、本明細書の説明の一部を構成し、特定の実施形態が例示として示される添付の一連の図面を参照する。図面は、必ずしも寸法通りではない。別途記載のない限り、一実施形態に対する同様の特徴は、同一の材料を含み、同一の属性を有し、他の実施形態に対する同様の特徴と同一又は同様の機能を作用する場合がある。一実施形態について記載される追加又は任意の特徴は、明確に述べられていなくても、適切な場合は、他の実施形態に対する追加又は任意の特徴でもあり得る。本明細書の範囲又は趣旨から逸脱することなく、他の実施形態が想定され、作製され得ることを理解されたい。したがって、以下の詳細な説明は、限定的な意味で理解されるべきではない。
【０００６】
本明細書で使用する全ての科学的及び技術的用語は、特に断らない限り、当該技術分野において一般的に用いられる意味を有する。本明細書において与えられる定義は、本明細書中で頻繁に使用される特定の用語の理解を助けるためのものであり、本開示の範囲を限定するためのものではない。
【０００７】
別途記載のない限り、本明細書及び「特許請求の範囲」で使用される特徴部の寸法、量、及び物理的特性を表わす全ての数字は、いずれの場合においても「約」なる語によって修飾されているものとして理解されるべきである。したがって、そうでない旨が示されない限り、上記の明細書及び添付の「特許請求の範囲」において示される数値パラメータは、本明細書に開示される教示を利用して当業者が得ようとする所望される特性に応じて変わり得る近似値である。終点による数の範囲の使用は、その範囲内（例えば、１〜５は、１、１．５、２、２．７５、３、３．８０、４、及び５を含む）及びその範囲内の任意の範囲に包含される全ての数を含む。
【０００８】
本明細書及び添付の特許請求の範囲において使用するときに、単数形「ａ」、「ａｎ」、及び「ｔｈｅ」は、その内容について別段の明確な指示がない限り、複数の指示対象を有する実施形態を包含する。本明細書及び添付の特許請求の範囲において使用するときに、用語「又は」は、その内容について別段の明確な指示がない限り、一般に「及び／又は」を含む意味で用いられる。
【０００９】
限定されるものではないが、「下部」、「上部」、「〜の下」、「下側」、「上側」、及び「〜の上」を含む空間に関連する用語は、本明細書で使用される場合、ある要素（複数可）の別の要素に対する空間的関係を述べる説明を容易にするために利用される。そのような空間に関連する用語は、図面に示され、本明細書で説明される特定の配向に加えて、使用中又は動作中のデバイスの異なる配向を包含する。例えば、図面に示される物体が反転又は裏返された場合、その前に他の要素の下側又はその下にあるように説明されていた部分は、これらの他の要素の上側になるであろう。
【００１０】
本明細書で使用されるとき、層、構成要素又は要素は、互いに隣接しているものとして記述され得る。層、構成要素又は要素は、直接的に接触することにより、１つ若しくは２つ以上の他の構成要素を介して連結することにより、又は互いに隣り合った状態若しくは互いに付着し合った状態を維持することにより、相互に隣接し得る。直接接触している層、構成要素又は要素は、直に隣接しているものとして記載される場合がある。
【００１１】
切替可能なプライバシーフィルムを得るためルーバーフィルムと接続したディスプレイ内の高分子分散型液晶（ＰＤＬＣ）層の使用が、当該技術分野において説明されている。しかし、かかる試みは、少なくとも２つの理由により広く採用されていない。第１に、透明状態では、ＰＤＬＣ層は、垂直入射において５％超過のヘイズを、また軸外で更に高いヘイズを有する。これは、多くのディスプレイ用途において好ましくないほど十分に高いものである。第２に、ＰＤＬＣ層を切り替えるのに必要な回路機構は、スペースを取り、相当な電力を要求する。これは、かなりのスペース及び電力の制約があるモバイルディスプレイ用途において重大な課題である。
【００１２】
スメクチックＡ液晶は、ＰＤＬＣ切替可能な拡散体の代わりに低ヘイズを付与することができるが、スメクチックＡ液晶の切替速度はＰＤＬＣの切替速度より遅いので、一部のディスプレイ用途では好ましくない場合がある。例えば、スメクチックＡ液晶をヘイズからクリアな状態に切り替えるのに５０〜１００ｍｓかかる場合があるのに対し、クリアな状態からヘイズ状態に切り替えるのに５００〜１０００ｍｓかかる場合がある。本出願人は、ディスプレイパネルの出力が切替可能な拡散体の切替が起こる時間間隔にわたって変動される場合、拡散体の切替速度の遅さは、ユーザにとって好ましくないものではなく、望ましい光学効果を付与する場合もあることを発見した。
【００１３】
ディスプレイにおける切替可能な拡散体の実装に伴って生じ得る別の課題は、切り替えを実行するのに必要とされる回路機構に必要なスペースである。多くのディスプレイ用途では、ディスプレイハウジングを所与のディスプレイサイズに対して、できるだけ小さくすることが望ましい。これは、全体的なサイズが比較的小さい携帯電話などの小型ディスプレイ用と薄型ベゼル及び薄型画面がしばしば望まれる大型画面ディスプレイ用の両方の場合に当てはまる。従来のＰＤＬＣ層を用いると、ＰＤＬＣ層をヘイズ状態に維持するように電圧を印加しなければならない。この電圧を印加するのに必要な回路機構は、ヘイズ状態で使用される場合、ディスプレイに統合する必要がある。切替可能な拡散体を切り替えるのに必要な回路機構をディスプレイハウジングから分離し、切替可能な拡散体が双安定性である場合に、有用なディスプレイが実装され得ることを本出願人は見出した。
【００１４】
本開示の実施形態としては、照明要素からディスプレイパネルを通して出力表面まで光学通路を横切る切替可能な拡散体を有する光学システムが挙げられる。いくつかの実施形態では、照明要素は、ディスプレイパネルと切替可能な拡散体との間に配設されるか、あるいはディスプレイパネルと反対側の切替可能な拡散体に隣接して配設される。いくつかの実施形態では、照明要素は１つ又は２つ以上の発光ダイオード（ＬＥＤ）を備える。いくつかの実施形態では、照明要素は、導光板の縁部に光を入射するように配設された、ＬＥＤなどの光源を有する導光板を備える。好適な導光板は、米国特許出願公開第２０１０／００１４０２７号（Ｌｉら）、米国特許番号第７，５３２，８００号（Ｉｉｍｕｒａ）、及び米国特許番号第７，６９９，５１６号（Ｌｅｅ）に記載されている。
【００１５】
図１は、出力表面１０２を有し、光学通路１１２を有する光を生成可能な照明要素１１０を備える光学システム１００の概略側面図である。光学システム１００は、電気的に切替可能な拡散体１２０と、狭い視野角出力１３１又は広い視野角出力１３３を有し得るディスプレイパネル１３０と、拡散体状態データを拡散体データチャネル１４１上の切替可能な拡散体１２０に提供する拡散体コントローラ１４０とを備える。照明要素１１０は、光源１５０と導光板１６０を備える。照明要素１１０は、ディスプレイパネル１３０の反対側の切替可能な拡散体１２０と隣接して配設される。光学システム１００はまた、任意の第１の光学フィルム１７０、及び／又は任意の第２の光学フィルム１８０を含むことができる。任意の第１の光学フィルム１７０及び任意の第２の光学フィルム１８０のいずれか又は両方は、単一フィルムであってもよいし、複数のフィルムが、光学透明接着剤で互いに積層されるか、あるいは層の間にエアギャップを有して互いに積み重ねられた積層体であってもよい。いくつかの実施形態では、任意の第１の光学フィルム１７０が含まれ、それはプリズムフィルム及びルーバーフィルムのうち１つ又は２つ以上である。ディスプレイパネル１３０は、液晶ディスプレイパネルを備えてもよく、また偏光リサイクルのための反射性偏光子などの他の構成要素を含んでもよい。その代わりに、反射性偏光子が、任意の第２の光学フィルム１８０の構成要素として含まれてもよい。光学システム１００は、任意の第１の光学フィルム１７０、任意の第２の光学フィルム１８０、又はディスプレイパネル１３０とともに含まれ得る反射性偏光子によって導光板を通して反射された光をリサイクルすることによって効率を向上させるのに用いられ得る、切替可能な拡散体１２０の反対側の導光板１６０に隣接して配設された反射体を更に含むことができる。いくつかの実施形態では、導光板１６０は光反射性裏面を備える。
【００１６】
いくつかの実施形態では、切替可能な拡散体１２０が第１の状態にあるときは、光学システム１００は、特有の視野角θＷを有する広い視野角出力１３３を生成し、切替可能な拡散体１２０が第２の状態にあるときは、光学システム１００は特有の視野角θＮを有する狭い視野角出力１３１を生成する。特有の視野角は、強度の出力角度分布の点から半値全幅として定義され得る。いくつかの実施形態では、第１の方向に沿った第１の特有の視野角と、第１の方向とは異なる第２の方向に沿った第２の特有の視野角がある。例えば、光学システム１００は、切替可能な拡散体１２０が第１の状態であるとき及び第２の状態であるときにも、両方で、縦方向において狭い視野角をもつ出力を有し得て、切替可能な拡散体１２０が第１の状態であるときは、水平方向において広い視野角をもつ出力を有し、かつ切替可能な拡散体１２０が第２の状態であるときは、水平方向において狭い視野角をもつ出力を有し得る。他の実施形態では、光学システム１００は、切替可能な拡散体１２０が第１の状態であるときは、縦方向及び水平方向の両方において広い視野角出力を有する場合があり、切替可能な拡散体１２０が第２の状態であるときは、縦方向及び水平方向の両方において狭い視野角出力を有し得る。
【００１７】
拡散体データチャネル１４１は、拡散体状態のデータ及び切替信号を切替可能な拡散体１２０に提供するように構成される。いくつかの実施形態では、拡散体コントローラ１４０は、コンピュータの中央処理装置（ＣＰＵ）を用いて実行される。いくつかの実施形態では、拡散体コントローラ１４０は、モニター内に配設されたマイクロコントローラユニットを用いて実行される。本システムは、切替可能な拡散体が状態を変えるように、拡散体コントローラ１４０が、信号又は複数の信号を拡散体データチャネル１４１上の切替可能な拡散体１２０に送信できるように構成される。
【００１８】
いくつかの実施形態では、任意の第１の光学フィルム１７０は、光出力を導光板１６０からディスプレイパネル１３０まで部分的にコリメートするルーバーフィルムを含む。切替可能な拡散体１２０が実質的にクリアな状態である場合、光学フィルム１７０を通過する部分的にコリメートされた光は、ディスプレイパネル１３０に達するときも、依然として部分的にコリメートされている。その後、ディスプレイパネルからの出力は、狭い視野角モードで光出力を付与するように部分的にコリメートされる。切替可能な拡散体がヘイズ状態にある場合、部分的にコリメートされた光は、切替可能な拡散体によって拡散され、結果として、ディスプレイパネル１３０に達するコリメートされた光は少ない。
【００１９】
ルーバーフィルムは、特に垂直から外れて入射する場合に光を吸収するので、リサイクルバックライトに用いられた場合は、非効率となり得る。いくつかの実施形態では、任意の第１の光学フィルム１７０及び任意の第２の光学フィルム１８０は、それらが含まれる場合には、吸収性が低い。かかる実施形態については、別の箇所で更に検討する。本明細書に使用されるとき、「吸収性の低い」フィルム又は構成要素とは、ランバート角度分布を有する標準光源Ｅからの入力光の光束の約２０パーセント未満を吸収するフィルム又は構成要素である。標準光源Ｅは、可視波長範囲（３８０ｎｍ〜７８０ｎｍ）にわたって一定であるスペクトルパワー分布を有する等エネルギー光源である。ルーバーフィルムは、比較すると、ランバート角度分布を有する標準光源Ｅからの入力光の光束の約３０％を吸収することができるいくつかの実施形態では、ランバート角度分布を有する標準光源Ｅからの入力光の光束の約１５％未満、約１０％未満、又は約５％未満を吸収する吸収性の低い構成要素又はフィルムが用いられる。
【００２０】
図１に示す実施形態では、切替可能な拡散体１２０は、導光板１６０とディスプレイパネル１３０との間に定置される。他の実施形態では、導光板はディスプレイパネルと切替可能な拡散体との間に定置され、反射体は、導光板と反対側の切替可能な拡散体に隣接して定置される場合がある。このタイプの構成を図２に図示する。
【００２１】
図２は、出力表面２０２を有し、反射体２１４から反射する光学通路２１２を有する光を生成可能な照明要素２１０を備える光学システム２００の概略側面図である。光学システム２００は、電気的に切替可能な拡散体２２０と、狭い視野角出力２３１又は広い視野角出力２３３を有し得るディスプレイパネル２３０と、拡散体状態データを拡散体データチャネル２４１上の切替可能な拡散体２２０に提供する拡散体コントローラ２４０とを備える。照明要素２１０は、光源２５０と導光板２６０を備える。照明要素２１０は、ディスプレイパネル２３０と切替可能な拡散体２２０との間に配設される。光学システム２００はまた、任意の第１の光学フィルム２７０、及び／又は任意の第２の光学フィルム２７５、及び／又は任意の第３の光学フィルム２８０を含み得る。任意の光学フィルム２７０、２７５及び２８０の一つ又はそれ以上は、単一フィルムであってもよいし、他のフィルムが、光学透明接着剤で互いに積層されるか、あるいは層の間にエアギャップを有して互いに積み重ねられた積層体であってもよい。ディスプレイパネル２３０は、液晶ディスプレイパネルを含んでもよく、また偏光リサイクルのための反射性偏光子などの他の構成要素を含んでもよい。
【００２２】
いくつかの実施形態では、切替可能な拡散体２２０が第１の状態にあるときは、光学システム２００は、特有の視野角θＷを有する広い視野角出力２３３を生成し、切替可能な拡散体２２０が第２の状態にあるときは、光学システム２００は特有の視野角θＮを有する狭い視野角出力２３１を生成する。特有の視野角は、強度の出力角度分布の点から半値全幅として定義され得る。いくつかの実施形態では、第１の方向に沿った第１の特有の視野角と、第１の方向とは異なる第２の方向に沿った第２の特有の視野角がある。例えば、光学システム２００は、切替可能な拡散体２２０が第１の状態であるとき及び第２の状態でもあるときにも、両方で、縦方向において狭い視野角をもつ出力を有し得て、切替可能な拡散体２２０が第１の状態であるときは、水平方向において広い視野角をもつ出力を有し、切替可能な拡散体２２０が第２の状態であるときは、水平方向において狭い視野角をもつ出力を有し得る。他の実施形態では、光学システム２００は、切替可能な拡散体２２０が第１の状態であるときは、縦方向及び水平方向の両方において広い視野角出力を有し得て、切替可能な拡散体２２０が第２の状態であるときは、縦方向及び水平方向の両方において狭い視野角出力を有し得る。
【００２３】
拡散体データチャネル２４１は、拡散体状態のデータ及び切替信号を切替可能な拡散体２２０に提供するように構成される。いくつかの実施形態では、拡散体コントローラ２４０は、コンピュータのＣＰＵを用いて実行される。いくつかの実施形態では、拡散体コントローラ２４０は、モニター内に配設されたマイクロコントローラユニットを用いて実行される。本システムは、切替可能な拡散体２２０の状態を変えるように、拡散体コントローラ２４０が信号又は複数の信号を拡散体データチャネル２４１上の切替可能な拡散体に送信できるように構成される。
【００２４】
いくつかの実施形態では、任意の光学フィルム２７０、２７５、及び２８０のうち１つ又は２つ以上は、光出力を導光板２６０からディスプレイパネル２３０まで部分的にコリメートするルーバーフィルムを含む。切替可能な拡散体２２０が実質的にクリアな状態である場合、光学フィルム２２０を通過する部分的にコリメートされた光は、ディスプレイパネル２３０に達するときも、依然として部分的にコリメートされている。その後、ディスプレイパネルからの出力は、狭い視野角モードで光出力を付与するように部分的にコリメートされる。切替可能な拡散体がヘイズ状態にある場合、部分的にコリメートされた光は、切替可能な拡散体によって拡散され、結果として、ディスプレイパネル２３０に達するコリメートされた光は少ない。
【００２５】
別の箇所で示すように、ルーバーフィルムは、特に垂直から外れて入射する場合に光を吸収するので、リサイクルバックライトに用いられた場合は、非効率となり得る。いくつかの実施形態では、任意の光学フィルム２７０、２７５及び２８０は、それらが含まれる場合には、吸収性の低いフィルムである。吸収性の低いフィルムを使用する実施形態については、別の箇所で更に検討する。
【００２６】
いくつかの実施形態では、切替可能な拡散体は、独立してアドレス指定可能な１つ又は２つ以上の領域を有する。領域はそれぞれ、第１の状態又は第１の状態とは異なる第２の状態になることが可能である。例えば、第１の状態はヘイズ状態とすることができ、第２の状態は実質的にクリアな状態とすることができる。いくつかの実施形態では、それぞれの領域は、第１の状態、第１の状態とは異なる第２の状態、並びに第１及び第２の状態とは異なる第３の状態になることが可能である。例えば、第１の状態は第１のヘイズを有する第１のヘイズ状態とし、第２の状態は第１のヘイズとは異なる第２のヘイズを有する第２のヘイズ状態とし、第３の状態は実質的にクリアな状態とすることができる。いくつかの実施形態では、それぞれの領域は、実質的にクリアな状態と第１のヘイズ状態になることが可能である。いくつかの実施形態では、領域はそれぞれ、実質的にクリアな状態、第１のヘイズ状態、及び第１のヘイズ状態とは異なる第２のヘイズ状態になることが可能である。いくつかの実施形態では、それぞれの領域は、切替可能な拡散体によって達成できる最大ヘイズを有する最大ヘイズ状態とすることができる。いくつかの実施形態では、それぞれの領域は、実質的にクリアな状態及び、実質的にクリアな状態から最大ヘイズ状態まで実質的に連続して変動することができる複数のヘイズ状態のいずれかとすることができる。
【００２７】
いくつかの実施形態では、切替可能な拡散体の１つ又は２つ以上の領域は、パッシブマトリックスアドレス指定可能な少なくとも４つの領域を含む。電気的に切替可能な拡散体は、図３に図示するような複数のアドレス指定可能な領域を有し、図３には独立してアドレス指定可能な領域３２１、３２２、３２３、及び３２４を有する切替可能な拡散体３２０が示される。図３に図示する実施形態では、４つの領域３２１〜３２４は、矩形配列の領域で配設されている。他の実施形態では、領域は、隣接するストライプとして配設され、ストライプのそれぞれはディスプレイの長さ又は幅に沿って延在し得る。
【００２８】
本明細書で使用されるとき、「拡散体状態」又は「拡散体の状態」は、全体的な切替可能な拡散体の状態を指し、切替可能な拡散体の各領域の状態を含むものである。例えば、図３に図示する実施形態では、切替可能な拡散体３２０は独立してアドレス指定可能な４つの領域３２１〜３２４を有し、各領域の状態は、その領域のヘイズ値によって特徴づけられ得る。それぞれの領域のヘイズ値は、ｈｉ（ｉ＝１、２、３、又は４）と表記できる。この場合、拡散体状態は、順序付けられた４個組み（タプル）（ｈ１、ｈ２、ｈ３、ｈ４）によって特徴づけられ得る。同様に、いくつかの実施形態では、切替可能な拡散体はｎ個のアドレス指定可能な領域を有し、拡散体状態は、順序付けられたｎ個組みのヘイズ値によって特徴づけられ得る。切替可能な拡散体の状態の変化とは、切替可能な拡散体の少なくとも１つの領域が状態を変えることを意味するものである。
【００２９】
ヘイズは、ＡＳＴＭ  Ｄ１００３−１３「Ｓｔａｎｄａｒｄ  Ｔｅｓｔ  Ｍｅｔｈｏｄ  ｆｏｒ  Ｈａｚｅ  ａｎｄ  Ｌｕｍｉｎｏｕｓ  Ｔｒａｎｓｍｉｔｔａｎｃｅ  ｏｆ  Ｔｒａｎｓｐａｒｅｎｔ  Ｐｌａｓｔｉｃｓ」で指定されるように、透過光の方向が入射ビームの方向から２．５度より大きくそれるように散乱された透過光のパーセントとして定義することができる。ヘイズは、ＡＳＴＭ  Ｄ１００３−１３規格に適合するＢＹＫ−Ｇａｒｄｎｅｒ社（米国メリーランド州Ｓｉｌｖｅｒ  Ｓｐｒｉｎｇｓ）から入手可能なＨＡＺＥーＧＡＲＤ  ＰＬＵＳメーターを用いて決定することができる。
【００３０】
拡散体の状態を変えるために、電圧波形を切替可能な拡散体に印加する場合がある。いくつかの実施形態では、波形は、切替装置を用いて印加される。いくつかの実施形態では、切替装置は、切替可能な拡散体の構成要素として設けられる。いくつかの実施形態では、切替装置は、切替可能な拡散体を収容するディスプレイハウジング内に配設され得る。いくつかの実施形態では、切替装置は、切替可能な拡散体を収容するディスプレイハウジングの外に位置する物理的に別個の部品として設けられ得る。いくつかの実施形態では、切替可能な拡散体は、スメクチックＡ材料の層を含む。いくつかの実施形態では、スメクチックＡ材料の厚さは、５マイクロメートル〜２０マイクロメートルの範囲である。
【００３１】
スメクチックＡ材料、又は他の切替可能な拡散体材料の状態を変えるのに必要な電圧波形は、当該技術分野において既知である。好適な波形は、例えば米国特許第４，８９３，１１７号（Ｂｌｏｍｌｅｙら）に記載されている。スイッチング波形１６４７の一部を図１６に概略的に示し、図中でピーク電圧Ｖ０を有する矩形波電圧波形が示される。電圧が、矩形波の開始から矩形波電圧がゼロに戻る時間までの時間ｔ１の間、第１の正の矩形波の開始から第２の正の矩形波の開始までの周期Ｔで印加される。図１６に図示する実施形態では、電圧は、負の電圧矩形波が印加される前の時間ｔ２の間、実質的にゼロである。他の実施形態では、電圧が正電圧から負電圧に直接移行するように、時間ｔ２はゼロ又は実質的にゼロとすることができる。周期は、周期の逆数として周波数ｆを規定する（即ち、ｆ＝１／Ｔ）。いくつかの実施形態では、切替可能な拡散体の状態を変えるのに用いられるスイッチング波形は、約１５０Ｖ〜約３５０Ｖの範囲（例えば、約２２０Ｖ）のピークツーピーク電圧振幅（２Ｖ０）を有する矩形波信号である。
【００３２】
いくつかの実施形態では、低周波数波形はクリアな状態からヘイズ状態に領域を切り替えるために印加され、高周波数波形は領域をヘイズ状態からクリアな状態に切り替えるために用いられる。いくつかの実施形態では、低周波数波形は、約１０Ｈｚ〜約１００Ｈｚの範囲の周波数（例えば、約５０Ｈｚ）を有する。いくつかの実施形態では、高周波数波形は約０．５ｋＨｚ〜約４ｋＨｚの範囲の周波数（例えば、約１ｋＨｚ）を有する。
【００３３】
ヘイズ状態は、電圧波形がクリアな状態の切替可能な拡散体に印加される時間によって調整され得る。例えば、実質的にクリアな状態の切替可能な拡散体に第１の時間間隔印加された低周波数波形により、第１のヘイズを有する第１のヘイズ状態になり得て、実質的にクリアな状態の切替可能な拡散体に第２の時間間隔印加された低周波数波形により、第１のヘイズとは異なる第２のヘイズを有する第２のヘイズ状態になり得る。例えば、第１の時間間隔は、８００ｍｓとし、第２の時間間隔は４００ｍｓとすることができ、結果として第２のヘイズより高い第１のヘイズが得られる。
【００３４】
いくつかの実施形態では、切替可能な拡散体において、一部の領域がクリアな状態にあり、一部の領域がヘイズ状態にあり、両方がクリアからヘイズ及びヘイズからクリアへの状態変化が必要とされる状態にある場合、拡散体コントローラは、まずクリアな状態からヘイズ状態に変えるそれらの領域に低周波数波形を印加し、それに続いて、ヘイズ状態からクリアな状態に変えるそれらの領域に高周波数波形を印加するように構成される。いくつかの実施形態では、切替可能な拡散体において、一部の領域がクリアな状態にあり、一部の領域がヘイズ状態にあり、両方がクリアからヘイズ及びヘイズからクリアへの状態変化が必要とされる状態にある場合、拡散体コントローラは、まずヘイズ状態からクリアな状態に変えるそれらの領域に高周波数波形を印加し、それに続いて、クリアな状態からヘイズ状態に変えるそれらの領域に低周波数波形を印加するように構成される。いくつかの実施形態では、切替可能な拡散体において、一部の領域がクリアな状態にあり、一部の領域がヘイズ状態にあり、両方がクリアからヘイズ及びヘイズからクリアへの状態変化が必要とされる状態にある場合、拡散体コントローラは、第１の時間間隔でクリアな状態からヘイズ状態に変えるそれらの領域に低周波数波形を印加し、第１の時間間隔と第２の時間間隔が重なり合う第２の時間間隔でヘイズ状態からクリアな状態に変えるそれらの領域に高周波数波形を印加するように構成される。
【００３５】
図４は、光学システム４００の側面図であり、それは照明要素４１０、電気的に切替可能な拡散体４２０、ディスプレイパネル４３０、拡散体状態データを拡散体データチャネル４４１上の切替可能な拡散体４２０に提供する拡散体コントローラ４４０、及び切替信号４４６を切替可能な拡散体４２０に提供できる切替装置４４５を備える照明要素４１０は、光源４５０と導光板４６０を備える。光学システム４００はまた、任意の第１の光学フィルム４７０、及び／又は任意の第２の光学フィルム４８０を含み得る。光学システム４００はまたコンピュータ４９０とビデオコントローラ４９５を備える。ビデオコントローラ４９５及び拡散体コントローラ４４０は情報を交換することができる。ビデオコントローラ４９５はディスプレイ情報をビデオデータチャネル４９７のディスプレイパネル４３０に提供するように構成され、また拡散体コントローラ４４０は拡散体状態情報を拡散体データチャネル４４１上の切替可能な拡散体に提供するように構成される。図４に図示する実施形態では、拡散体データチャネル４４１とビデオデータチャネル４９７は別々のデータチャネルである。他の実施形態では、コンピュータ４９０からビデオデータ及び拡散体データの両方を出力するために、共通のデータチャネルを使用することができる。図４に図示する実施形態では、切替可能な拡散体４２０は、ディスプレイパネル４３０と導光板４６０との間に配設される。他の実施形態では、導光板はディスプレイパネルと切替可能な拡散体との間に配設され、反射体は、導光板と反対側の切替可能な拡散体に隣接して配設される。
【００３６】
拡散体データチャネル４４１は、拡散体状態データ及び状態変更コマンドを切替装置４４５に提供する拡散体データサブチャネル４４１ａと、照明レベルデータ及び照明レベルコマンドを光源４５０に提供する照明レベルサブチャネル４４１ｂとを備える。照明レベルサブチャネル４４１ｂにより、拡散体コントローラ４４０は、照明要素４１０の照明レベルを変動することによってディスプレイの出力レベルを調整することが可能になる。いくつかの実施形態では、拡散体コントローラ４４０は、コマンドをビデオコントローラ４９５に送信し、ビデオデータチャネル４９７に提供された映像コンテンツを変更することによってディスプレイの出力レベルを調整することができる。いくつかの実施形態では、拡散体コントローラ４４０は、黒フレーム又はダークフレームをビデオデータチャネル４９７に提供された映像コンテンツ中に挿入することによって映像コンテンツを変更する。いくつかの実施形態では、拡散体コントローラ４４０は、切替可能な拡散体が第１の拡散体状態から第２の拡散体状態に状態変化を開始するときに、実質的にクリアな状態にあるディスプレイパネル４３０の領域に提供された映像コンテンツを変更することによってディスプレイの出力レベルを変動するように構成される。いくつかの実施形態では、拡散体コントローラ４４０は、照明要素４１０の照明レベルを変動するとともにダークフレームを映像コンテンツ中に挿入することによって、ディスプレイの出力レベルを調整することができる。別の箇所で検討するように、拡散体コントローラは、切替可能な拡散体が状態を変えている間にディスプレイパネルの出力レベルを変更することが望ましい場合がある。
【００３７】
図４に示す実施形態では、拡散体コントローラ４４０は切替可能な拡散体４２０を制御するために用いられる同一のデータチャネル（拡散体データチャネル４４１）上の照明要素に制御信号を出力する。こうすることは、切替可能な拡散体を、照明要素を制御するためのデータチャネルを既に有するシステムに追加するときに有用であり得る。この場合、既存のデータチャネルは、切替可能な拡散体用のデータ及び制御信号を含むように修正され得る。他の実施形態では、拡散体コントローラ４４０は、照明要素４１０用の制御信号を、ビデオデータチャネル４９７上の制御信号を出力するビデオコントローラ４９５に送信する。
【００３８】
いくつかの実施形態では、別個のコンピュータ４９０を使用しない。むしろ、拡散体コントローラ４４０は、モニターに配設された組込みコントローラ（例えば、マイクロコントローラユニット）を用いて実装され、ビデオコントローラ４９５は、モニター内に配設されたビデオスケーラ又はビデオチップを用いて実装され得る。
【００３９】
いくつかの実施形態では、切替装置４４５は、切替可能な拡散体４２０を収容するディスプレイハウジング内に配設され得る。他の実施形態では、切替装置４４５は、切替可能な拡散体４２０を収容するディスプレイハウジングとは分離された切替装置ハウジングを有し得る。
【００４０】
図５Ａは、光学システム５００のハイレベルブロック図であり、図５Ｂは光学システム５００のより詳細なブロック図である。光学システム５００は、電気的に切替可能な拡散体５２０と、ディスプレイ装置５３２に配設されたディスプレイパネル５３０を備え、ディスプレイ装置はまた、スケーラ基板５３４及びディスプレイ信号インターフェース５３６を備える。光学システム５００はまた、拡散体コントローラ５４０を備え、コントローラは、拡散体状態データ及び制御情報を、第１の拡散体データチャネル５４１、第２の拡散体データチャネル５４２、及び第３の拡散体データチャネル５４３を介して切替可能な拡散体５２０に提供する。光学システム５００はまた、切替装置５４５を備え、それはスイッチング波形５４７を生成することができる。出力コンポーネント５４９は第１の拡散体データチャネル５４１を受信し、第２の拡散体データチャネル５４２及び第３の拡散体データチャネル５４３にそれぞれ出力する。スイッチング波形５４７は、波形転送ユニット５５５に提供され、波形転送ユニットはまた、入力コンポーネント５５９を経由して第２の拡散体データチャネル５４２を受信する。切替装置５４５は、第３の拡散体データチャネル５４３上で受信されたコマンドに応答してスイッチング波形５４７を生成する。波形転送ユニットは、コマンドが第２の拡散体データチャネル５４２で受信され、スイッチング波形５４７が存在する場合、切替可能な拡散体又は切替可能な拡散体の部分にスイッチング波形を印加する。切替可能な拡散体が単一の切替可能な要素である実施形態では、第２の拡散体データチャネル５４２は、省略される場合があり、波形転送ユニット５５５は任意の受信波形を切替可能な拡散体５２０に印加することができる。切替可能な拡散体が複数のアドレス指定可能な領域を含む実施形態では、第２の拡散体データチャネル５４２は、どの領域に波形を印加すべきかについての情報を波形転送ユニット５５５に提供するために用いられ得る。
【００４１】
コンピュータ５９０は、拡散体コントローラ５４０と、出力コンポーネント５４９と、ビデオコントローラ５９５と、ビデオカード５９６を備える。ビデオコントローラ５９５は、コンテンツをビデオカード５９６に提供することによってディスプレイ情報をディスプレイ装置５３２に提供し、そのビデオカードは、そのコンテンツをディスプレイ信号インターフェース５３６によって受信されるビデオデータチャネル５９７に出力する。
【００４２】
いくつかの実施形態では、スケーラ基板５３４は含まれていない。例えば、一部のモバイル装置はスケーラ基板を含まない。いくつかの実施形態では、第３のデータチャネル５４３は含まれておらず、その代わりとして切替装置はボタン、スイッチ、タッチパネル入力、又はユーザが切替可能な拡散体の状態を切り替えるのを可能にする同様のものを有する。
【００４３】
いくつかの実施形態では、スイッチング波形５４７は、切替装置５４５によって生成された波形であり、波形転送ユニット５５５はその波形を切替装置５４５から、また拡散体状態データを第２の拡散体データチャネル５４２から受信する。
【００４４】
いくつかの実施形態では、コンピュータ５９０及びディスプレイ装置５３２は、同一のディスプレイハウジング内、例えばタブレットコンピュータ内に配置される。他の実施形態では、コンピュータ５９０は、コンピュータハウジング内、例えばディスクトップコンピュータハウジング内にあり、ディスプレイ装置５３２は、コンピュータハウジングから分離しているディスプレイハウジング内にある。いくつかの実施形態では、切替装置５４５は、ディスプレイ装置５３２を収容するディスプレイハウジングから分離しているドックであってもよい切替装置ハウジング内に定置される。
【００４５】
第２の拡散体データチャネル５４２は、任意の有線又は無線接続によってコンピュータ５９０とディスプレイ装置５３２を接続し得る。第３の拡散体データチャネル５４３は、任意の有線又は無線接続によってコンピュータ５９０と切替装置５４５を接続し得る。好適な接続方法としては、マルチマスタシリアルシングルエンドコンピュータバス（例えば、Ｉ２Ｃ）、シリアルペリフェラルインターフェース（ＳＰＩ）、システムマネージメントバス（ＳＭＢ）、アースに加えて単一のワイヤーを含有する通信バスシステム（例えば、１ーワイヤー）、ユニバーサルシリアルバス（ＵＳＢ）、ＲＳ−２３２シリアルポート、例えば、２．４〜２．４８５ＧＨｚのバンドの電波（例えば、ＢＬＵＥＴＯＯＴＨ）とすることができる電波を用いたデータ転送、赤外（ＩＲ）データ転送、無線周波数（ＲＦ）データ転送、ローカルエリヤネットワーク（ＬＡＮ）、ＷＩ−ＦＩ接続又はそれらの組み合わせが挙げられる。
【００４６】
図６は、光学システム６００のブロック図であり、それは、切替装置６４５から分離しているディスプレイ装置６３２に配設された電気的に切替可能な拡散体６２０を図示する。ディスプレイ装置６３２はモニター、タブレット又はディスプレイを提供する他の装置とすることができる。ディスプレイ装置６３２は、切替装置６４５からスイッチング波形を受信し、スイッチング波形を切替可能な拡散体６２０に印加する波形転送ユニット６５５を備える。切替装置６４５はまた、パターンを波形生成ユニット６６４に印加するパターン発生器６６２を備える。波形生成ユニット６６４は波形を発信コイル６６６に印加し、この波形はディスプレイ装置６３２内の波形転送ユニット６５５に連結される受信コイル６６８によって受信される。切替装置６４５は、電力をパターン発生器６６２及び波形生成ユニット６６４に提供する電源６７２を備える。拡散体状態を切り替えるのに必要な電力は、発信コイル６６６から受信コイル６６８までの誘導結合を介して、電源６２７から切替可能な拡散体６２０に提供される。他の実施形態では、切替装置６４５とディスプレイ装置６３２との間で、誘導結合を利用するのではなく、直接電気的な接触が行われる。
【００４７】
図７は、光学システム７００のブロック図であり、それは、切替装置７４５から分離しているディスプレイ装置７３２に配設された切替可能な拡散体７２０を図示する。ディスプレイ装置７３２はモニター、タブレット又はディスプレイを提供する他の装置とすることができる。ディスプレイ装置７３２は、切替装置７４５から変調された波形を受信し、変調波形を復調し、かつ復調された波形を切替可能な拡散体７２０に印加する復調器／波形転送ユニット７５５を備える。切替装置７４５はまた、波形生成ユニット７６４に変調信号を印加する変調器７６３にパターン信号を提供するパターン発生器７６２を備える。キャリア信号は、キャリア発生器７６５から変調器７６３に提供される。波形生成ユニット７６４は変調波形を発信コイル７６６に印加し、この変調波形はディスプレイ装置７３２内の復調器／波形転送ユニット７５５に連結される受信コイル７６８によって受信される。切替装置７４５は、パターン発生器７６２、変調器７６３、波形生成ユニット７６４及びキャリア発生器７６５に電力を提供する電源７７２を備える。拡散体状態を切り替えるのに必要な電力は、発信コイル７６６から受信コイル７６８までの誘導電力伝達を介して、電源７７２から切替可能な拡散体７２０に提供される。他の実施形態では、切替装置７４５とディスプレイ装置７３２との間で、誘導電力伝達ではなくて、直接電気的な接触が行われる。復調器／波形転送ユニット７５５は、切替装置７４５から受信した波形を復調し、復調された波形を切替可能な拡散体７２０に印加する復調器を備える。
【００４８】
いくつかの実施形態では、ディスプレイ装置６３２又はディスプレイ装置７３２は、ディスプレイハウジング内にある。切換装置６４５又は７４５は、ディスプレイハウジングが切換装置に近接した少なくとも１つの位置にある場合、スイッチング波形を切替可能な拡散体に印加可能である。いくつかの実施形態では、切替装置はディスプレイハウジングから分離可能である。いくつかの実施形態では、切替装置はドックに収納され、ディスプレイハウジングはドックに取付可能で、かつドックから取り外し可能である。例えば、ディスプレイハウジングは、タブレットコンピュータとすることができ、切替装置は、タブレットドックに収容され得る。これを、ドック８７３を示す図８Ａ、及びドック８７３に隣接して配設されたディスプレイハウジング８７６を備えるタブレット８３２を示す図８Ｂに概略的に図示する。タブレットドックは当該技術分野において既知である。例えば、ＴＨＩＮＫＰＡＤタブレットドックは、Ｌｅｎｏｖｏグループ社（北京、中国）から入手可能であり、ＤＥＬＬタブレットドックはＤＥＬＬ社（米国テキサス州Ｒｏｕｎｄ  Ｒｏｃｋ）から入手可能である。他の実施形態では、ドックは、タブレットコンピュータに取り付けすることができるとともにタブレットコンピュータから取り外しすることができるキーボードを備える場合がある。キーボードドックは当該技術分野において既知である。例えば、Ａｃｅｒ  Ｉｃｏｎｉａ  Ｗ４タブレット（Ａｃｅｒ社、台北、台湾）はキーボードドックとともに入手可能である。
【００４９】
切替装置がドックに収納されている場合、切替可能な拡散体が電圧を印加せずに実質的にクリアな状態又はヘイズ状態のいずれかになり得るように電気的に切替可能な拡散体が双安定性であることが好ましい。本明細書で使用されるとき、「双安定性」切替可能な拡散体は、それぞれの領域が実質的に安定している２つ又はそれ以上の状態を有する１つ又は２つ以上の領域を有する電気的に切替可能な拡散体である。「実質的に安定」とは、状態が、切替可能な拡散体の間に電圧を印加せずに数時間又は数日などの時間間隔にわたって維持されることを意味する。いくつかの実施形態では、切替可能な拡散体は、双安定性であるスメクチックＡ液晶を備える。スメクチックＡ液晶を用いた電気的に切替可能な拡散体は、安定した実質的にクリアな状態と、様々なヘイズ状態においてヘイズ値で特徴づけられ得る複数の安定したヘイズ状態とを有する。
【００５０】
一部のタイプの切替可能な拡散体の切替速度は、一部のユーザに好ましくないほど十分に遅くすることができる。ディスプレイの出力レベルが切替可能な拡散体の状態が変わるにつれて変動する場合、この切替速度は、好ましくないものではなく、一部の場合では、望ましい光学効果が生じ得ることが見出されている。いくつかの実施形態では、拡散体コントローラは、拡散体の状態が変わる間にディスプレイの出力レベルを調整するように構成される。別の箇所で検討するように、これは、バックライトの出力レベルを変動することによって、ダークフレームをディスプレイ出力に挿入することによって、あるいはこれらの技法の組み合わせによって実現され得る。
【００５１】
図９は、時間の関数としてディスプレイパネルの出力レベルを示す。ディスプレイパネルは、初期出力レベル９０３を有し、切替可能な拡散体は時間ｔｓ１に開始し時間ｔｓ２に終了する第１の時間間隔９０４にわたって状態を変化させ、出力レベルは、時間ｔｄ１に開始し時間ｔｄ２に終了する第２の時間間隔９０６にわたって減光され、更に出力レベルは、時間ｔｄ２後、最終出力レベル９０８に設定される。第２の時間間隔９０６は第１の時間間隔９０４と重なり合う。図９に示す実施形態では、最終出力レベル９０８は初期出力レベル９０３より高い。切替可能な拡散体が状態を実質的にクリアな状態からヘイズ状態に変える一部の場合にこうすることが望ましい場合があるのは、切り替え後に知覚される軸上輝度が維持される場合には、全体的に光出力を高くする必要があるからである。図９に示す実施形態では、出力レベルは拡散体状態の変化を開始する前に低減され、この出力レベルは拡散体が状態を変えた後まで上昇されない。他の実施形態では、出力レベルの減光は、状態変化が開始された後まで開始しなくてもよく、あるいは状態変化が完了する前に終了してもよい。
【００５２】
図１０は、時間の関数としてディスプレイパネルの出力レベルを示す。ディスプレイパネルは、初期出力レベル１００３を有し、切替可能な拡散体は時間ｔｓ１に開始し時間ｔｓ２に終了する第１の時間間隔１００４にわたって状態を変化させ、出力レベルは、時間ｔｄ１に開始し時間ｔｄ２に終了する第２の時間間隔１００６にわたって減光され、更に出力レベルは、時間ｔｄ２後、最終出力レベル１００８に設定される。第２の時間間隔１００６は第１の時間間隔１００４と重なり合う。図１０に示す実施形態では、出力レベルは拡散体状態変化が開始後に低減され、更にこの出力レベルは拡散体が状態を変えた後まで上昇されない。
【００５３】
別の箇所で検討するように、図９又は図１０に示す出力変動レベルは、照明要素によって提供される照明レベルを変動することによって、かつ／又はディスプレイパネルに付与される映像コンテンツを変動する（例えば、黒フレーム挿入）ことによって達成され得る。例えば、いくつかの実施形態では、拡散体コントローラは、前記照明要素を、ディスプレイの出力レベルを変動する前に第１の照明レベルに設定するとともに、ディスプレイパネルの出力レベルを変動後に第１の照明レベルとは異なる第２の照明レベルに設定するように構成される。
【００５４】
いくつかの実施形態では、図９及び図１０に図示する減光は、１つ又は２つ以上の領域が状態を実質的にクリアな状態からヘイズ状態に変わる場合にのみ実行される。いくつかの実施形態では、図９及び図１０に例示する出力レベルの変動は、少なくとも１つの拡散体状態の変化に対して実行される。いくつかの実施形態では、切替可能な拡散体は、第１の拡散体状態から第２の拡散体状態に変わる場合、拡散体コントローラは、少なくとも１つの領域が実質的にクリアな状態にあり、切替可能な拡散体が第１の拡散体状態にあるときは、拡散体状態の変化に関連して出力レベルを変動するように構成される。いくつかの実施形態では、出力レベルを初期レベルから最終レベルまで減光段階なしに徐々に変動することによって、出力レベルは変動される。更に他の実施形態では、切替可能な拡散体は第１の時間間隔にわたって状態を変えて、この時間間隔と重なり合う第２の時間間隔にわたって出力レベルを次第に高くなる（フェードイン）及び次第に低くなる（フェードアウト）ようにすることによって、出力レベルは変動される。出力レベルのフェードイン及びフェードアウトは、実質的に連続な変動としてもよいし、出力レベルが高い場合の比較的短い間隔と出力レベルが低い場合のより長い間隔との間の点滅変動としてもよい。出力レベルのかかる変動はユーザの気を散ラス可能性があり、そのためユーザの注意が第１の拡散体状態と第２の拡散体状態との間の移行に集中されない。
【００５５】
いくつかの実施形態では、拡散体コントローラは、切替可能な拡散体の状態を第１の拡散体状態から第２の拡散体状態に変えるべきかどうかを判定するように構成され、また切替可能な拡散体は、切替装置がディスプレイハウジングに近接した１つ又は２つ以上の位置にあるか否かを判定するように更に構成される。例えば、拡散体コントローラにより、切替可能な拡散体が広い視野角モードであるが、コンテンツを狭い視野角モードで表示するべきと判定された場合には、拡散体コントローラは切替可能な拡散体の状態を変えるべきと判定することができる。いくつかの場合において、切替可能な拡散体により、切替可能な拡散体の状態を変えるべきと判定される場合があるが、その状態を変えることができないのは、切替装置がディスプレイハウジングに近接した１つ又は２つ以上の位置にないからである。いくつかの実施形態では、拡散体コントローラにより、ディスプレイハウジングが切替装置に近接した少なくとも１つの位置のいずれにもないと判定され、かつ拡散コントローラにより、切替可能な拡散体の第１の拡散体状態を本来なら変えるべきと判定される場合には、拡散体コントローラはエラー処理プロセスを実行するように構成される。拡散体コントローラにより、切替可能な拡散体の状態を変えるべきと判定され、かつ切替可能な拡散体により、切替装置がディスプレイハウジングに近接した１つ又は２つ以上の位置にあると判定された場合には、切替可能な拡散体は、切替可能な拡散体の状態を変えるべきと判定し、かつ適切なコマンドを拡散体コントローラに送信して状態を変えさせる。いくつかの実施形態では、拡散体コントローラは、少なくとも１つの拡散体状態の変化に関連して出力レベルを変動するように構成される。拡散体コントローラによって実行され得る例示的なプロセスを図１１に図示する。
【００５６】
図１１は、拡散体コントローラが実行するプロセス１１００を図示するフローチャートである。工程１１１０では、拡散体コントローラは切替可能な拡散体の状態を変えるべきと判定する。工程１１２０では、拡散体コントローラは、切替装置がディスプレイハウジングに近接した１つ又は２つ以上の位置にあるか否かを判定する。拡散体コントローラは切替装置が１つ又は２つ以上の位置にないと判定する場合、拡散体コントローラは、エラー処理プロセス１１３０を実行する。いくつかの実施形態では、エラー処理プロセス１１３０は、メッセージをディスプレイパネル上に提供することを含む。例えば、「切替装置を接続してください」などのメッセージがユーザに提供され得る。切替装置がディスプレイハウジングに近接した１つ又は２つ以上の位置にある場合には、拡散体コントローラは拡散体の状態を変えると判定し、拡散体コントローラが状態の変化とともにディスプレイパネルの出力レベルの変更を実行するかどうかを判定する工程１１４０を実行する。例えば、一部のタイプの切替可能な拡散体が第２の状態から第１の状態になる切替時間は、第１の状態から第２の状態になる切替時間より長い。このように、いくつかの実施形態では、拡散体コントローラは、ディスプレイの１つ又は２つ以上の領域を第２の状態から第１の状態に変えるとき、ディスプレイの出力レベルを変動するように構成される。いくつかの実施形態では、第２の状態は実質的にクリアな状態であり、第１の状態はヘイズ状態である。いくつかの実施形態では、拡散体コントローラは、実質的にクリアな状態からヘイズ状態に変わるこれらの領域のみにダークフレームを挿入することになる。いくつかの実施形態では、切替可能な拡散体は、実質的にクリアな状態からヘイズ状態に切り替わるのに、ヘイズ状態から実質的にクリアな状態に切り替えるより長い時間のかかるスメクチックＡ液晶を含む。
【００５７】
拡散体コントローラがディスプレイパネルの出力レベルを変える必要がないと判定する場合には、工程１１５０を実行し、切替可能な拡散体の状態を変える。拡散体コントローラがディスプレイパネルの出力レベルを変えるべきと判定する場合、拡散体コントローラは工程１１６０を実行しディスプレイパネルの出力レベルを変える。その後、工程１１７０が実行され、拡散体コントローラは切替可能な拡散体の状態を変える。次いで、工程１１８０が実行され、拡散体コントローラはディスプレイパネルの出力レベルを設定する。図１１に図示する実施形態では、出力レベルが変更され、その後、切替可能な拡散体の状態が変更される。他の実施形態では、別の箇所で検討するように他の時系列が実行可能である。いくつかの実施形態では、出力レベルは、プロセス１１００を実行する前の出力レベルと同一のレベルに設定される。いくつかの実施形態では、出力レベルは、プロセス１１００を実行する前の出力レベルより高い、又は低いレベルに設定される。いくつかの実施形態では、状態の変化が切替可能な拡散体の平均ヘイズの増加と関連する場合、切替可能な拡散体の状態の変化後のディスプレイパネルの出力レベルは、切替可能な拡散体の状態の変化前のディスプレイパネルの出力レベルより高い値に設定される。同様に、いくつかの実施形態では、状態の変化が切替可能な拡散体の平均ヘイズの減少と関連する場合、切替可能な拡散体の状態の変化後のディスプレイパネルの出力レベルは、切替可能な拡散体の状態の変化前のディスプレイパネルの出力レベルより低い値に設定される。
【００５８】
いくつかの実施形態では、第１の状態はヘイズ状態であり、切替可能な拡散体が第１の状態である領域のディスプレイからの出力は共有コンテンツを表示するのに好適な広い視野角を有する。いくつかの実施形態では、第２の状態は実質的にクリアな状態であり、切替可能な拡散体が第２の状態である領域のディスプレイからの出力はプライベートコンテンツを表示するのに好適な狭い視野角を有する。
【００５９】
いくつかの実施形態では、表示されるコンテンツは、そのコンテンツがプライベートコンテンツに適切な狭い視野角モードで表示されるべきか、それともそのコンテンツが共有コンテンツに適切な広い視野角モードで表示されるべきかを示すデータタグと組み合わされる。いくつかの実施形態では、拡散体コントローラはコンテンツをプライベート又は共有としてマークするように構成される。いくつかの実施形態では、拡散体コントローラは、第１のコンピュータ上で実行されるアルゴリズムを含む。いくつかの実施形態では、第２のコンピュータは、コンテンツが狭い視野角モードで表示されるべきか、それともコンテンツが広く視野角モードで表示されるべきかを示すデータタグを有するコンテンツを提供し、タグ付けされたデータが第１のコンピュータに提供される。
【００６０】
コンテンツは、様々な基準に基づいて、プライベート（即ち、狭い視野角モードで表示される）又は共有（即ち、広く視野角モードで表示される）としてマークされ得る。例えば、コンテンツは、機密マークなどのデータマークを含み得る。コンテンツが機密であることを示すデータマークを含むコンテンツである場合、拡散体コントローラはプライベートモードでコンテンツを表示するように構成され得る。データマークは、コンテンツを含有するデータパッケージのビット、バイト、又はデータセグメントとすることができる。いくつかの実施形態では、データマークは、コンテンツを表示すべき視野角モードを指定するデータを含有する。視野角モードは、最も広い達成可能な視野角モードから最も狭い達成可能な視野角モードまでの範囲とすることができ、拡散体コントローラは、データマークに提供された視野角モードに基づいて実質的にクリアな状態と最も高い達成可能なヘイズ状態との間の様々なヘイズ状態に切替可能な拡散体を設置するように構成され得る。これは、広告主が広告主のコンテンツを表示するのに使用される視野角の好みを設定できる場合の広告に使用されるディスプレイに有用であり得る。
【００６１】
いくつかの実施形態では、コンテンツは、キーワード又はコンテンツデータに含有される他の情報に基づいてプライベートであるか、共有であるかを判定され得る。例えば、特定のワード又はフレーズがコンテンツに表れる場合、拡散体コントローラはプライベートモードでそのコンテンツを表示するように構成され得る。
【００６２】
いくつかの実施形態では、拡散体コントローラは、狭い視野角モードで表示されるべき機密情報又は他の情報が画像コンテンツに存在するかどうかを判定するために、画像コンテンツに関して画像解析を行うように構成される。拡散体コントローラがかかる情報が存在していると判定する場合は、拡散体コントローラは、切替可能な拡散体を、コンテンツが狭い視野角モードで表示されるような拡散体状態に設定するように構成され得る。
【００６３】
いくつかの実施形態では、拡散体コントローラは、現在時間が特定の範囲内にあると判定する場合、システムがコンテンツを狭い視野角モードで表示するように、切替可能な拡散体を設定するように構成される。いくつかの実施形態では、拡散体コントローラはコンピュータを用いて実装され、そのコンピュータ上で実行されるソフトウェアは拡散体コントローラに現在時間を提供することができる。いくつかの実施形態では、拡散体コントローラは、通常の作業時間中に表示される全てのコンテンツを、例えば、狭い視野角モードで表示するべきと判定する。
【００６４】
いくつかの実施形態では、拡散体コントローラは、コンテンツが安全なインターネットアドレス、例えば、ｈｔｔｐｓから始まるインターネットアドレスからの情報を含有すると判定する場合、コンテンツを狭い視野角モードで表示するべきと判定するように構成される。いくつかの実施形態では、拡散体コントローラは、コンテンツが、例えば、ＳＳＬ（Ｓｅｃｕｒｅ  Ｓｏｃｋｅｔ  Ｌａｙｅｒ）証明書によって署名又は暗号化されていると判定する場合には、コンテンツを狭い視野角モードで表示するべきと判定するように構成される。
【００６５】
いくつかの実施形態では、システムは、ユーザがディスプレイパネルの領域をプライベートとして指定して選択できるように構成される。いくつかの実施形態では、システムは、コンピュータ及びディスプレイパネルを含むコンピュータモニターを備える。コンピュータ上で実行されるソフトウェアによりユーザにインターフェースが提供され、その結果ユーザがディスプレイパネルの領域又は複数の領域をプライベートとして指定するように選択することができる。いくつかの実施形態では、コンピュータは、複数のウィンドウをディスプレイパネルに提示するようにするオベレーティングシステムを動作させて、このシステムにより、ユーザが複数のウィンドウの中の１つ又は２つ以上のウィンドウをプライベートとして指定できるようにする。いくつかの実施形態では、このシステムは、ユーザが全ディスプレイパネルをプライベートとして指定できるか、あるいは全ディスプレイパネルを共有として指定できるように構成される。拡散体コントローラは、プライベートとして指定された領域に表示されたコンテンツが狭い視野角モードで表示されるように、そして、プライベートとして指定されていないか、あるいはパブリックとして指定された領域に表示されたコンテンツを広い視野角モードで表示されるように、切替可能な拡散体を所定の拡散体状態に設定するように構成され得る。
【００６６】
いくつかの実施形態では、光学システムは、人又は人々を特定できる対象物の存在を検出するように構成される。例えば、対象物は、ＢＬＵＥＴＯＯＴＨを有する携帯電話又はユーザの身分証明書に含まれたＲＦＩＤタグとすることができる。いくつかの実施形態では、拡散体コントローラは、指定されたユーザ又は複数の指定されたユーザのみがシステムの近くで検出される場合、コンテンツが広い視野角モードで表示されるように切替可能な拡散体を設定するように構成され、また拡散体コントローラは、任意の指定されていないユーザが光学システムの近くで検出される場合、コンテンツが狭い視野角モードで表示されるように切替可能な拡散体を設定するように構成される。
【００６７】
いくつかの実施形態では、光学システムは、一次的な視聴者と、一次的な視聴者の近隣にいる任意の二次的な潜在的な視聴者の存在を検出可能なカメラを備える。いくつかの実施形態では、拡散体コントローラは、二次的な潜在的な視聴者がまったく光学システムの近くで検出されない場合、コンテンツが広い視野角モードで表示されるように切替可能な拡散体を設定するように構成され、また拡散体コントローラは、二次的な潜在的な視聴者が光学システムの近くで検出される場合、コンテンツが狭い視野角モードで表示されるように切替可能な拡散体を設定するように構成される。
【００６８】
いくつかの実施形態では、拡散体コントローラは、光学システムが特定の指定された地理的領域内にあると判定する場合は、コンテンツが狭い視野角モード又は広い視野角モードで表示されるように、切替可能な拡散体を所定の拡散体状態に設定するように構成される。いくつかの実施形態では、このシステムは、インターネットに接続されているコンピュータを備え、このコンピュータは、インターネットアクセスに関連するＩＰアドレスからの地理的領域を判定する。いくつかの実施形態では、このシステムは、セルラーネットワークからデータを受信可能な無線タブレット又は携帯電話に含まれる。いくつかの実施形態では、このシステムは、セルラーネットワークからの地理的情報を決定する。いくつかの実施形態では、このシステムは、地理的領域を決定するのに使用され得る全地球測位システム（ＧＰＳ）受信器などの空間的又は三次元測位システムを備える。いくつかの実施形態では、ユーザは地理的データをこのシステムに入力する。いくつかの実施形態では、拡散体コントローラは、このシステムが特定の地理的領域内に位置特定されると判定する場合、例えば、このシステムが指定された事務所の所在地内にないと判定する場合は、全てのコンテンツが狭い視野角モードで表示されるように、切替可能な拡散体を所定の拡散体状態に設定するように構成される。
【００６９】
いくつかの実施形態では、光学システムはインターネットに接続されているコンピュータを備え、このコンピュータは、いつ安全なネットワーク、例えば、社内ネットワークに接続されたかを認識するとともに、この情報を拡散体コントローラに提供する。いくつかの実施形態では、拡散体コントローラは、本システムが安全なネットワークに接続されていると判定する場合は、全てのコンテンツが広い視野角モードで表示されるように、切替可能な拡散体を所定の拡散体状態に設定するように構成される。いくつかの実施形態では、拡散体コントローラは、本システムが公衆ネットワークに接続されていると判定した場合は、全てのコンテンツが狭い視野角モードで表示されるように切替可能な拡散体を所定の拡散体状態に設定するように構成される。
【００７０】
いくつかの実施形態では、光学システムはバッテリから電力を受け、拡散体コントローラはバッテリの電力が低いかどうかを判定するように構成される。いくつかの実施形態では、拡散体コントローラは、切替可能な拡散体がバッテリの電力が低いと判定した場合、切替可能な拡散体を狭い視野角モードに設定するように構成される。ディスプレイからの光の大部分はユーザに狭い視野角モードで提供されるので、バックライトを広い視野角モードより低いレベルに設定することができ、依然としてバックライトはユーザに十分な光を提供することができる。したがって、狭い視野角モードはバッテリの電力を保存するのに使用され得る。
【００７１】
いくつかの実施形態では、光学システムは、物理的配向データを拡散体コントローラに提供する加速度計又は他のセンサを備える。いくつかの実施形態では、拡散体コントローラは、光学システムの物理的配向に基づいて狭い又は広い視野角モードでコンテンツを表示するように構成される。例えば、拡散体コントローラは、タブレットコンピュータが第１の配向にある場合、第１の表示モードを有し、第２の配向にある場合、第２の表示モードを有するように構成され得る。
【００７２】
いくつかの実施形態では、拡散体コントローラは、コンテンツが機密マークを含むかどうか、コンテンツが機密キーワードを含有するかどうか、コンテンツが機密情報を含有することを画像解析が示すかどうか、拡散体コントローラによって決定された現在時間が指定の範囲にあるかどうか、コンテンツが安全なインターネットアドレスからの情報を含有するかどうか、コンテンツが署名又は暗号化されているかどうか、コンテンツがプライベートとして指定されるディスプレイパネルのゾーンに表示されるかどうか、コンテンツが手動でプライベートと指定されたかどうか、ディスプレイパネルが指定の地理的領域内に位置するかどうか、電力状況が低い状態かどうか、拡散体コントローラが一次的な視聴者の近くにいる一次的ではない視聴者の存在を検出するかどうか、システムの物理的配向、及びこれらの組み合わせに基づいて、コンテンツが狭い視野角モード又は広い視野角モードで表示されるように、拡散体状態を制御するように構成される。
【００７３】
いくつかの実施形態では、照明要素は、少なくとも部分的にコリメートされた光出力を提供可能なバックライトを備え、第１の状態はヘイズ状態であり、第２の状態は実質的にクリアな状態であり、バックライトが光出力を提供する場合、ディスプレイパネルを通過するとともに第１の状態の領域を通過するバックライトからの光出力は、第１のディスプレイ出力を広い視野角モードで提供し、ディスプレイパネルを通過するとともに第２の状態の領域を通過するバックライトからの光出力は第２のディスプレイ出力を狭い視野角モードで提供する。いくつかの実施形態では、一部の領域は狭い視野角モードにあり、一部の領域が広い視野角モードにあるときは、拡散体コントローラは拡散体コンテンツを広い視野角モードの領域（即ち、第１の状態の切替可能な拡散体の領域）に提供するように構成される。拡散体コンテンツは、切替可能な拡散体の一部の領域の状態を変動することによって切替可能な拡散体により生成されたパターン又は画像を指すものである。拡散体コンテンツは、ディスプレイパネルにより提供された任意のコンテンツ上にオーバレイされる。いくつかの実施形態では、拡散体コンテンツは、ハイコントラストパターン、移動パターン、画像、警告及びこれらの組み合わせからなるグループから選択される。拡散体コンテンツは、不要な視聴者の目が狭い視野角モードで表示されたコンテンツに引かれないよう不要な視聴者の注意をそらすように選択され得る。
【００７４】
いくつかの実施形態では、吸収性の低い光学コンポーネントがこのシステムに用いられる。任意の第１の光学フィルム１７０が含まれず、任意の第２の光学フィルム１８０が転向フィルムである図１の光学システム１００の一般構造を有するシステムの実施形態を図１２に図示する。
【００７５】
図１２は、光学システム１２００の概略側面図であり、それは照明要素１２１０、反射体１２１４、切替可能な拡散体１２２０、ディスプレイパネル１２３０、及び拡散体状態データを拡散体データチャネル１２４１上の切替可能な拡散体１２２０に提供する拡散体コントローラ１２４０を備える。照明要素１２１０は、光源１２５０と導光板１２６０を備える。光学システム１２００は、光学通路１２１２ａを有する光及び光学通路１２１２ｂを有する光を生成することができる。光学システム１２００はまた、プリズムが照明要素１２１０に対向して配設された転向フィルム１２８０を含む。ディスプレイパネル１２３０は、液晶ディスプレイパネルを含んでもよく、また偏光リサイクルのための反射性偏光子などの他の構成要素を含んでもよい。反射体１２１４は、転向フィルム１２８０から、かつ／又はディスプレイパネル１２３０に含まれる反射性偏光子から反射された光のリサイクルを提供するように含まれる。
【００７６】
導光板１２６０は、導光板に対する法線に対して角度θＯでピーク強度を有する角度分布を有する光出力を提供する。これは、当該技術分野において既知であるように導光板の様々な抽出機能を用いて達成され得る。好適な抽出機能は、射出成形、導光板の表面における印字ドット、若しくは導光板の上面及び／又は底面の成形によって作製され得る微細構造体を含む。この抽出機能は回折性又は屈折性であり得る。抽出機能はまた、導光板への集光テーパ面を含む場合もある。抽出機能及び抽出機能を提供する方法は、例えば、米国特許第６，０３９，５３３号（Ｌｕｎｄｉｎら）及び米国特許出願公開第２００９／０２４４６９０号（Ｌｅｅ）に記載されている。
【００７７】
導光板の出力は、角度θＯによって規定された方向に沿って部分的にコリメートされ得る。θＯは、例えば、約３０度〜約７５度の範囲とすることができる。導光板１２６０からの光は、切替可能な拡散体１２２０を通過し、転向フィルム１２８０に達する。転向フィルム１２８０は、ディスプレイパネルの法線に向かって角度θＯで指定された伝播方向を有する光を転向するように構成される。θＯとは実質的に異なる入射角度での転向フィルム１２８０への入射光は、必ずしもディスプレイパネルの法線に向かって転向されない。換言すれば、転向フィルム１２８０は、好ましい入力角度を有し、好ましい入射角度を有する光が提供される場合には好ましい出力を提供することになるが、一般に、他の入力分布が提供される場合には好ましい出力を提供しない。
【００７８】
切替可能な拡散体１２２０が実質的にクリアな状態にある場合、光は少しも実質的に散乱せずに切替可能な拡散体１２２０を通過するので、転向フィルムの好ましい入力角度で転向フィルム１２８０に提供される。その後、光は転向フィルム１２８０によって転向されるので、転向フィルム１２８０なかったときよりもディスプレイパネルの法線に近い出力方向を有する。例えば、光線は、拡散体が実質的にクリアな状態にある場合、光学通路１２１２ａに従い得る。切替可能な拡散体１２２０がヘイズ状態にある場合、導光板１２６０からの光は切替可能な拡散体１２２０を通過し転向フィルム１２８０に達するように偏向する場合があるので、転向フィルムの好ましい入力角度で転向フィルム１２８０に提供されない。これにより、光は、ディスプレイパネルに対する法線に対して大きな角度でディスプレイパネルから出ていくことができる。例えば、光線は、拡散体がヘイズ状態にある場合、光学通路１２１２ｂに従う場合がある。
【００７９】
転向フィルムは一般に、微細構造化表面を含み、このフィルムは、微細構造化表面が照明要素の光出力表面に対向するように配設される。微細構造化表面は、照明要素からの光を必要に応じて方向を変えることができさえすれば、任意の微細構造化特徴（任意の形状又は大きさ）を含むことができる。有用な転向フィルムは、プリズムである微細構造化特徴部を含み、この種類の例示的な転向フィルムとしては、ＴＲＡＦ  ＩＩとしても知られる３Ｍ  Ｔｒａｎｓｍｉｓｓｉｖｅ  Ｒｉｇｈｔ  Ａｎｇｌｅ  Ｆｉｌｍ  ＩＩと、ＢＥＦとしても知られる３Ｍ  Ｂｒｉｇｈｔｎｅｓｓ  Ｅｎｈａｎｃｅｍｅｎｔ  Ｆｉｌｍが挙げられ、両方とも３Ｍ  Ｃｏｍｐａｎｙ（Ｓｔ．Ｐａｕｌ，ＭＮ）から入手可能である。一般に、転向フィルムは、所望の光リダイレクト機能を達成する限り、任意の形状、大きさ、表面構造、及び／又は配向の特徴を有することができる。複数の特徴が使用される場合、所望の光リダイレクト機能を達成するために、特徴部の数及び／又は配列を使用する場合がある。転向フィルムは、当業者に既知である任意の数の方法により作製することができる。かかる方法は、彫刻法、エンボス加工法、レーザーアブレーション法、又はリソグラフィック法を用いてツールを製造し、その後、そのツールを利用して、型成形−硬化技法又は押出し複製技法を介して構造化フィルム／層を作製することを含むが、これに限定されない。転向フィルムは可視光線の範囲における吸収度の低い光学材料から作製されることができるので、転向フィルムは吸収性の低いフィルムとなる。
【００８０】
導光板、転向フィルム、プリズムフィルム及び他の光学コンポーネントを構成するのに有用な材料としては、ポリメチルメタクリレート（ＰＭＭＡ）などのアクリル樹脂、ポリスチレン、ポリカーボネート、ポリエステル、及びシリコーンが挙げられる。
【００８１】
任意の第１の光学フィルム１７０が含まれず、任意の第２の光学フィルム１８０がクロスプリズムフィルムを含む、図１の光学システム１００の一般構造を有するシステムの実施形態を図１３に図示する。
【００８２】
図１３は、光学システム１３００の概略側面図であり、それは照明要素１３１０、反射体１３１４、切替可能な拡散体１３２０、ディスプレイパネル１３３０、及び拡散体データチャネル１３４１上の切替可能な拡散体１３２０に拡散体状態データを提供する拡散体コントローラ１３４０を備える。照明要素１３１０は、光源１３５０と導光板１３６０を備える。光学システム１３００はまた、第１のプリズムフィルム１３８２、第２のプリズムフィルム１３８４、及び光結合層１３８６を含むフィルム積層体１３８０を備える。ディスプレイパネル１３３０は、液晶ディスプレイパネルを含んでもよく、また偏光リサイクルのための反射性偏光子フィルムを含んでもよい。
【００８３】
プリズムフィルムは、３Ｍ  Ｃｏｍｐａｎｙ（Ｓｔ．Ｐａｕｌ，ＭＮ）から入手可能な輝度強化フィルム（ＢＥＦ）とすることができる。いくつかの実施形態では、２つのプリズムフィルムが使用される。例えば、第１のプリズムフィルム１３８２は、第１の方向に延在する線状のプリズムを有することができ、また第２プリズムフィルム１３８４は第１の方向とは異なる第２の方向に延在するプリズムを有することができる。いくつかの実施形態では、第１の方向と第２の方向とは実質的に直交している。プリズムフィルムは、別の箇所で記載した転向フィルムを作製するための技法を用いて作製され得る。
【００８４】
光結合層１３８６は、任意の光学透明接着剤とすることができる。好適な光学透明接着剤としては、３Ｍ  Ｏｐｔｉｃａｌｌｙ  Ｃｌｅａｒ  Ａｄｈｅｓｉｖｅ  ８１４２ＫＣＬ又は３Ｍ  Ｏｐｔｉｃａｌｌｙ  Ｃｌｅａｒ  Ａｄｈｅｓｉｖｅ  ８１４６−Ｘが挙げられ、ともに３Ｍ  Ｃｏｍｐａｎｙ（Ｓｔ．Ｐａｕｌ．ＭＮ）から入手可能である。いくつかの実施形態では、光結合層１３８６は、第２のプリズムフィルム１３８４の屈折率に近い屈折率を有するように選ばれる。例えば、いくつかの実施形態では、２５℃で５８９ｎｍの波長（ナトリウムＤ線）を有する光に対する屈折率１．４７４を有する３Ｍ  Ｏｐｔｉｃａｌｌｙ  Ｃｌｅａｒ  Ａｄｈｅｓｉｖｅ  ８１４６−Ｘが、２５℃で５８９ｎｍの波長（ナトリウムＤ線）を有する光に対する屈折率１．４９１を有するアクリルプリズムフィルムとともに使用される。
【００８５】
照明要素１３１０からの光出力は切替可能な拡散体１３２０を通過し、プリズムフィルム１３８２及び１３８４と相互作用する。切替可能な拡散体１３２０が実質的にクリアな状態である場合、プリズムフィルム１３８２及び１３８４は、高い入射角度（即ち、法線軸に対する大きな入力角度）を有する光を反射体１３１４に向かって反射し、その後、その反射体はプリズムフィルム１３８２及び１３８４に向かって光を反射し返す。反射体１３１４は、拡散又は半鏡面反射体とすることができるので、反射体１３１４から反射して離れた光の一部が入射角とは異なる反射角を有する。光学システム１３００は、光をリサイクルして部分的にコリメートされた出力を生成することができる。リサイクルメカニズムによってコリメーションを増加させるプリズムフィルムが当該技術分野において既知であり、例えば、米国特許第４，５４２，４４９号（Ｗｈｉｔｅｈｅａｄ）、同５，１７５，０３０号（Ｌｕら）、同５，１８３，５９７（Ｌｕ）に記載されている。切替可能な拡散体１３２０がヘイズ状態にある場合、プリズムフィルム１３８２及び１３８４への入力は、切替可能な拡散体１３２０を通過するため部分的にランダム化された角度分布を有する。この場合、プリズムフィルムは光出力を部分的にコリメートするのにあまり効果的ではないので、結果として光出力は広い視野角出力となる。フィルム積層体１３８０は、可視光線の範囲において吸光度の低い光学材料から作製され得るので、フィルム積層体１３８０は吸収性の低いフィルム積層体となる。
【００８６】
この実施形態は、転向フィルムを使用する実施形態を記載するために使用したものと同様の観点で記載され得る。フィルム積層体１３８０は、角度入力分布を有する光が供給された場合、フィルム積層体１３８０が部分的にコリメートされた光を出力するような好ましい角度入力分布を有する。他の角度光分布、例えば、拡散体を通過することによって部分的にランダム化された角度光分布が供給された場合、フィルム積層体１３８０は光出力をコリメートするのに有効ではない。
【００８７】
任意の第１の光学フィルム２７０及び任意の第２の光学フィルム２７５が含まれず、任意の第３の光学フィルム２８０が転向フィルムである図２の光学システム２００の一般構造を有するシステムの実施形態を図１４に図示する。
【００８８】
図１４は、光学システム１４００の概略側面図であり、それは照明要素１４１０、反射体１４１４、切替可能な拡散体１４２０、ディスプレイパネル１４３０、及び拡散体データチャネル１４４１上の切替可能な拡散体１４２０に拡散体状態データを提供する拡散体コントローラ１４４０を備える。照明要素１４１０は、光源１４５０と導光板１４６０を備える。光学システム１４００は、光学通路１４１２ａを有する光及び光学通路１４１２ｂを有する光を生成することができる。光学システム１４００はまた、プリズムが照明要素１４１０に対向して配設された転向フィルム１４８０を含む。導光板１４６０は、導光板に対する下向き法線に対して角度θＯでピーク強度を有する角度分布を有する光出力を提供する。別の箇所で検討するように、これは、当該技術分野において既知の導光板の様々な抽出機能を用いて達成することができる。θＯは、例えば、約３０度〜約７５度の範囲とすることができる。導光板の出力は、角度θＯによって規定された方向に沿って部分的にコリメートされ得る。
【００８９】
導光板１４６０からの光は切替可能な拡散体１４２０を通過し、反射体１４１４に達し、そこで反射され、その後、導光板１４６０を通して転向フィルム１４８０に向かって透過される。反射体１４１４は、３Ｍ  Ｃｏｍｐａｎｙ（Ｓｔ．Ｐａｕｌ，ＭＮ）から入手可能なＥｎｈａｎｃｅｄ  Ｓｐｅｃｕｌａｒ  Ｒｅｆｌｅｃｔｏｒ（ＥＳＲ）のような実質的な鏡面反射体とすることができる。転向フィルム１４８０は、ディスプレイパネルの法線に向かって角度θＯで指定された伝播方向を有する光を転向するように構成される。θＯとは実質的に異なる入射角度での転向フィルム１４８０への入射光は、必ずしもディスプレイパネルの法線に向かって転向されない。換言すれば、転向フィルム１４８０は、好ましい入力角度を有し、好ましい入力角度を有する光が提供される場合には好ましい出力を提供することになるが、一般に、他の入力分布が提供される場合には好ましい出力を提供しない。
【００９０】
切替可能な拡散体１４２０が実質的にクリアな状態にある場合、光は実質的に散乱せずに切替可能な拡散体１４２０を通過するので、転向フィルムの好ましい入力角度で転向フィルム１４８０に提供される。その後、光は転向フィルム１４８０によって転向されるので、転向フィルム１４８０が存在しなかったときよりもディスプレイパネルの法線に近い出力方向を有する。例えば、光線は、拡散体が実質的にクリアな状態にある場合、光学通路１４１２ａに従い得る。切替可能な拡散体１４２０がヘイズ状態にある場合、導光板１４６０からの光は、切替可能な拡散体１４２０を通過し反射体１４１４に達する、かつ／又は反射体１４１４から転向フィルム１４８０に通過するように偏向される場合があるので、転向フィルムの好ましい入力角度では転向フィルム１４８０に提供されない。これにより、光は、ディスプレイパネルに対する法線に対して大きな角度でディスプレイパネルから出ていくことができる。例えば、光線は、拡散体がヘイズ状態にある場合、光学通路１４１２ｂに従うことができる。
【００９１】
図１５は、第１の出力表面１５０２ａと第２の出力表面１５０２ｂを有する光学システム１５００の概略側面図であり、それは光路１５１２ａを有する光を生成可能な照明要素１５１０、電気的に切替可能な拡散体１５２０、ディスプレイパネル１５３０、及び拡散体データチャネル１５４１上の切替可能な拡散体１５２０に拡散体状態データを提供する拡散体コントローラ１５４０を備える。照明要素１５１０は、光源１５５０と導光板１５６０を備える。光学システム１５００はまた、任意の第１の光学フィルム１５７０、及び／又は任意の第２の光学フィルム１５８０を含む場合がある。任意の光学フィルム１５７０及び１５８０の一つ又はそれ以上は、単一フィルムであってもよいし、光学透明接着剤で互いに積層されるか、あるいは層の間にエアギャップを有して互いに積み重ねられた他のフィルムの積層体であってもよい。例えば、いくつかの実施形態では、任意の第２の光学フィルム１５８０は、回析特徴を有する吸収性の低い光学コンポーネントであり、任意の第１の光学フィルム１５７０は、ないか、あるいは切替可能な拡散体１５２０を導光板１５６０に取り付ける低指数の光学接着剤のいずれかである。導光板１５６０は、光を第１の出力表面１５０２ａに向かって抽出するように設計された抽出機能を備える。例えば、光学通路１５１２ａを有する照明要素１５１０からの光線は、ディスプレイパネル１５３０、第１の出力表面１５０２ａを透過して一次的な視聴者に向かう。周辺光は、第１の出力表面１５０２ａを通過し、ディスプレイパネル１５３０を通過し、更に継続して第２の出力表面１５０２ｂを通過し得る。例えば、光学通路１５１２ｂを有する周辺光線は、ディスプレイパネル１５３０、第２の出力表面１５０２ｂを透過して二次的な視聴者に向かう。
【００９２】
電気的に切替可能な拡散体１５２０が実質的にクリアな状態にある場合、画像化された周辺光が第２の出力表面１５０２ｂに実質的に散乱することなく到達することができるように、光学システム１５００は共有モードにある。電気的に切替可能な拡散体１５２０がヘイズ状態にある場合、画像化された周辺光が第２の出力表面１５０２ｂに到達する前に切替可能な拡散体１５２０によって散乱され、それによって、本来なら画像化された周辺光の中に存在する任意の画像を不明瞭になるように、光学システム１５００はプライベートモードにある。このモードはまた、画像化された光出力は前方に大きいので、狭い視野角モードとして記載されてもよい。同様に、光学システム１５００は、切替可能な拡散体が実質的にクリアな状態にある場合、前方及び後方の両方に画像化された光出力が存在するので、広い視野角モードにあるものとして記載されてもよい。
【００９３】
吸収性の低い光学コンポーネントを含む光学システムの様々な実施形態は、「可変視野角を有する光学システム（Optical Systems Having Variable Viewing Angles）」と題され、本明細書と同日付で出願された、本願と同一譲受人に譲渡された米国特許出願第６２／００５，５７３号（代理人整理番号７５３０９ＵＳ００２）に検討されており、その全体が参照として本明細書に組み込まれる。
【００９４】
以下は、本発明の例示的な実施形態の一覧である。
【００９５】
項目１は、
ディスプレイパネルと、
前記ディスプレイパネルに近接して配設された電気的に切替可能な拡散体であって、前記切替可能な拡散体は１つ又は２つ以上の領域を有し、かつ前記切替可能な拡散体は拡散体状態を有し、前記１つ又は２つ以上の領域のそれぞれが第１の状態、又は前記第１の状態とは異なる第２の状態になることが可能な切替可能である、電気的に切替可能な拡散体と、
前記ディスプレイパネルと前記切替可能な拡散体との間に配設されるか、又は前記ディスプレイパネルと反対側の前記切替可能な拡散体に隣接して配設される、照明要素と、
拡散体状態を制御し、かつ前記ディスプレイパネルのレベルを制御するように構成された、拡散体コントローラと、を備える光学システムであって、
前記拡散体コントローラは、前記切替可能な拡散体の第１の拡散体状態を変えるかどうかを判定するように構成されており、前記拡散体コントローラが第１の拡散体状態を変えると判定する場合、前記拡散体コントローラは前記切替可能な拡散体を、前記第１の拡散体状態から第２の拡散体状態に第１の時間間隔にわたって切り替えるように構成されており、
前記拡散体コントローラは、前記第１の拡散体状態から前記第２の拡散体状態への変化と関連して前記ディスプレイパネルの出力レベルを変動するかどうかを判定するように構成されており、前記拡散体コントローラが前記出力レベルを変動すると判定する場合、前記拡散体コントローラは前記出力レベルを、前記第１の時間間隔と重なり合う第２の時間間隔にわたって変動するように構成されており、
前記拡散体コントローラは、少なくとも１つの拡散体状態の変化に関連して前記出力レベルを変動するように構成されている、光学システムである。
【００９６】
項目２は、前記切替可能な拡散体が双安定性である、項目１に記載の光学システムである。
【００９７】
項目３は、切換装置と、前記ディスプレイパネル及び前記照明要素を収容するディスプレイハウジングと、を更に備え、前記切替装置は前記ディスプレイハウジングから分離されており、前記切替装置は、前記ディスプレイハウジングが前記切替装置と近接した少なくとも１つの位置にあるときに、スイッチング波形を前記切替可能な拡散体に印加可能である、項目２に記載の光学システムである。
【００９８】
項目４は、
ディスプレイパネルと、
前記ディスプレイパネルに近接して配設された、双安定性の、電気的に切替可能な拡散体であって、前記切替可能な拡散体は１つ又は２つ以上の領域を有し、に前記１つ又は２つ以上の領域のそれぞれが第１の状態、又は前記第１の状態とは異なる第２の状態になることが可能である、双安定性の、電気的に切替可能な拡散体と、
前記ディスプレイパネルと前記切替可能な拡散体との間に配設されるか、あるいは前記ディスプレイパネルと反対側の前記切替可能な拡散体に隣接して配設される照明要素と、
前記ディスプレイパネル、前記照明要素、及び切替可能な拡散体を収容するディスプレイハウジングと、
前記拡散体状態を制御するように構成された拡散体コントローラと、
前記ディスプレイハウジングの外にある切替装置であって、前記切替装置は、前記ディスプレイハウジングが前記切換装置に近接した少なくとも１つの位置にあるときに、スイッチング波形を前記切替可能な拡散体に印加可能である、切換装置と、を備える光学システムであって、
前記拡散体コントローラは、前記切替可能な拡散体の第１の拡散体状態を変えるべきかどうかを判定するように構成されており、前記拡散体コントローラが第１の拡散体状態を変えるべきと判定する場合で、かつ前記ディスプレイハウジングが前記切替装置に近接した少なくとも１つの位置にある場合には、前記拡散体コントローラは前記切替可能な拡散体を、前記第１の拡散体状態から第２の拡散体状態に第１の時間間隔にわたって切り替えるために、前記切替装置に制御信号を提供するように構成されている、光学システムである。
【００９９】
項目５は、前記拡散体コントローラは、前記ディスプレイパネルの出力レベルを制御するように更に構成されている、項目４に記載の光学システムである。
【０１００】
項目６は、前記拡散体コントローラは、前記第１の拡散体状態から前記第２の拡散体状態への変化と関連して前記ディスプレイパネルの出力レベルを変動するかどうかを判定するように構成されており、前記拡散体コントローラが前記出力レベルを変動すると判定する場合、前記拡散体コントローラは前記出力レベルを、前記第１の時間間隔と重なり合う第２の時間間隔にわたって変動するように構成されている、項目５に記載の光学システムである。
【０１０１】
項目７は、前記拡散体コントローラは、前記照明要素の照明レベルを変動することによって前記ディスプレイパネルの前記出力レベルを変動するように構成されている、項目１〜３又は５〜６のいずれか一項に記載の光学システムである。
【０１０２】
項目８は、前記拡散体コントローラは、前記照明要素の照明レベルを減光することによって前記ディスプレイパネルの前記出力レベルを変動するように構成されている、項目７に記載の光学システムである。
【０１０３】
項目９は、前記拡散体コントローラは、前記照明要素を、前記ディスプレイパネルの前記出力レベルを変動する前には、第１の照明レベルに、前記ディスプレイパネルの前記出力レベルを変動後には、前記第１の照明レベルとは異なる第２の照明レベルに設定するように構成されている、項目１〜３又は５〜６のいずれか一項に記載の光学システムである。
【０１０４】
項目１０は、前記拡散体コントローラは、前記ディスプレイパネルに提供された映像コンテンツを変更することによって前記ディスプレイパネルの前記出力レベルを変動するように構成されている、項目１〜３又は５〜６のいずれか一項に記載の光学システムである。
【０１０５】
項目１１は、前記拡散体コントローラは、ダークフレームを前記映像コンテンツに挿入することによって前記ディスプレイパネルの前記出力レベルを変動するように構成されている、項目１０に記載の光学システムである。
【０１０６】
項目１２は、前記拡散体コントローラが、前記切替可能な拡散体が第１の拡散体状態にあるときに、実質的にクリアな状態である前記ディスプレイパネルの領域に提供された映像コンテンツを変更することによって、前記ディスプレイパネルの前記出力レベルを変動するように構成されている、項目１１に記載の光学システムである。
【０１０７】
項目１３は、前記拡散体コントローラは、前記照明要素の照明レベルを変動することによって、かつ前記ディスプレイパネルに提供された映像コンテンツを変更することによって、前記ディスプレイパネルの前記出力レベルを変動するように構成されている、項目１〜３又は５〜６のいずれか一項に記載の光学システムである。
【０１０８】
項目１４は、前記拡散体コントローラは、前記切替可能な拡散体が第１の拡散体状態にあるときに、少なくとも１つの領域が実質的にクリアな状態にある前記拡散体状態の変化に関連して前記出力レベルを変動するように構成されている、項目１〜３又は５〜６のいずれか一項に記載の光学システムである。
【０１０９】
項目１５は、前記拡散体コントローラは、前記ディスプレイハウジングが前記切替装置に近接した少なくとも１つの位置にあるかどうかを判定するように構成されている、項目３〜６のいずれか一項に記載の光学システムである。
【０１１０】
項目１６は、前記拡散体コントローラは、前記拡散体コントローラが前記ディスプレイハウジングが前記切替装置に近接した少なくとも１つの位置のいずれかにもないと判定し、かつ前記拡散コントローラが切替可能な拡散体の第１の拡散体状態を本来なら変えるべきと判定する場合、エラー処理プロセスを実行するように構成されている、項目１５に記載の光学システムである。
【０１１１】
項目１７は、前記エラー処理プロセスは、メッセージを前記ディスプレイパネルに提供することを含む、項目１６に記載の光学システムである。
【０１１２】
項目１８は、前記照明要素が前記ディスプレイパネルと前記切替可能な拡散体との間に配設されている、項目１〜６のいずれか一項に記載の光学システムである。
【０１１３】
項目１９は、前記照明要素が前記ディスプレイパネルと反対側の切替可能な拡散体に隣接して配設されている、項目１〜６のいずれか一項に記載の光学システムである。
【０１１４】
項目２０は、前記切替可能な拡散体の前記１つ又は２つ以上の領域は、パッシブマトリックスアドレス指定可能な少なくとも４つの領域を含む、項目１〜６のいずれか一項に記載の光学システムである。
【０１１５】
項目２１は、前記第１の状態がヘイズ状態であり、かつ前記第２の状態が実質的にクリアな状態である、項目１〜６のいずれか一項に記載の光学システムである。
【０１１６】
項目２２は、それぞれの領域が、第１の状態、前記第１の状態とは異なる第２の状態、並びに前記第１の状態及び前記第２の状態とは異なる第３の状態になることが可能である、項目１〜６のいずれか一項に記載の光学システムである。
【０１１７】
項目２３は、前記第１の状態が第１のヘイズを有する第１のヘイズ状態であり、前記第２の状態が第１のヘイズとは異なる第２のヘイズを有する第２のヘイズ状態であり、前記第３の状態が実質的にクリアな状態である、項目２２に記載の光学システムである。
【０１１８】
項目２４は、前記照明要素が、少なくとも部分的にコリメートされた光出力を提供可能なバックライトを備え、前記第１の状態はヘイズ状態であり、前記第２の状態は実質的にクリアな状態であり、かつバックライトが光出力を提供する場合にディスプレイパネルを通過しかつ前記第１の状態の領域を通過する前記バックライトからの光出力は、第１のディスプレイ出力を広い視野角モードで提供し、前記ディスプレイパネルを通過しかつ前記第２の状態の領域を通過する前記バックライトからの光出力は、第２のディスプレイ出力を狭い視野角モードで提供する、項目１〜６のいずれか一項に記載の光学システムである。
【０１１９】
項目２５は、前記拡散体コントローラが拡散体コンテンツを前記第１の状態の切替可能な拡散体の領域に提供するように構成されている、項目２４に記載の光学システムである。
【０１２０】
項目２６は、前記拡散体コンテンツが、ハイコントラストパターン、移動パターン、画像、警告及びこれらの組み合わせからなるグループから選択される、項目２５に記載の光学システムである。
【０１２１】
項目２７は、前記切替可能な拡散体がスメクチックＡ液晶を含む、項目１〜６のいずれか一項に記載の光学システムである。
【０１２２】
項目２８は、前記拡散体コントローラは、コンテンツが機密マークを含むかどうか、コンテンツが機密キーワードを含有するかどうか、コンテンツが機密情報を含有することを画像解析が示すかどうか、拡散体コントローラによって決定された現在時間が指定の範囲にあるかどうか、コンテンツが安全なインターネットアドレスからの情報を含有するかどうか、コンテンツが署名又は暗号化されているかどうか、コンテンツがプライベートとして指定されるディスプレイパネルのゾーンに表示されるかどうか、コンテンツが手動でプライベートと指定されたかどうか、ディスプレイパネルが指定の地理的領域内に位置するかどうか、電力状況が低い状態かどうか、拡散体コントローラが一次的な視聴者の近くにいる一次的ではない視聴者の存在を検出するかどうか、前記光学システムの物理的配向、及びこれらの組み合わせからなるグループから選択される基準に基づいて、コンテンツが狭い視野角モード又は広い視野角モードで表示されるように拡散体状態を制御するように構成されている、項目１〜６のいずれか一項に記載の光学システムである。
【０１２３】
項目２９は、前記ディスプレイハウジングが前記切替装置に近接した少なくとも１つの位置にあるとき、前記切替装置は誘導結合によって切替可能な拡散体に結合されている、項目３〜６のいずれか一項に記載の光学システムである。
【０１２４】
項目３０は、前記切替装置が、電源と、波形生成ユニットと、パターン発生器とを更に備え、前記電源は、前記波形生成ユニット及び前記パターン発生器に電力を供給するように構成され、前記パターン発生器は、前記波形生成ユニットに直接的に又は間接的に提供されるパターン信号を生成するように構成され、前記波形生成ユニットは、前記ディスプレイハウジングが前記切替装置に近接した少なくとも１つの位置にあり、かつ前記拡散体コントローラが前記切替可能な拡散体の前記第１の拡散体状態を変えるべきと判定するときに、波形を前記切替可能な拡散体に提供するように構成されている、項目３〜６のいずれか一項に記載の光学システムである。
【０１２５】
項目３１は、前記切替装置が、キャリア発生器と変調器とを更に備え、前記電源は前記キャリア発生器と前記変調器に電力を供給するように構成され、前記パターン発生器は前記パターン信号を前記変調器に提供するように構成され、前記変調器は変調信号を前記波形生成ユニットに提供するように構成されている、項目３０に記載の光学システムである。
【０１２６】
項目３２は、前記ディスプレイハウジング内に配設され、かつ変調された波形を復調された波形に変換するように構成された復調器を更に備える、項目３１に記載の光学システムである。
【０１２７】
項目３３は、前記切替装置がドックに収納されており、並びに前記ディスプレイハウジングが前記ドックに取付可あり、かつ前記ドックから取り外し可能である、項目３〜６のいずれか一項に記載の光学システムである。
【０１２８】
項目３４は、前記拡散体コントローラを実装するように構成されたコンピュータを更に備える、項目１〜６のいずれか一項に記載の光学システムである。
【０１２９】
項目３５は、前記コンピュータが、ディスプレイ情報を第１のデータチャネル内の前記ディスプレイパネルに提供するように構成され、かつ前記コンピュータが拡散状態の情報を第２のデータチャネル内の切替可能な拡散体拡散体状態情報を第２のデータチャネル内の切替可能な拡散体に提供するように構成されている、項目３４に記載の光学システムである。
【０１３０】
項目３６は、前記第１のデータチャネル及び前記第２のデータチャネルは別々のデータチャネルである、項目３５に記載の光学システムである。
【０１３１】
以上、本明細書において具体的な実施形態を図示、説明したが、様々な代替的かつ／又は等価的な実現形態を、本開示の範囲を逸脱することなく、図示及び説明された具体的な実施形態に置き換えることができる点は、当業者であれば認識されるところであろう。本出願は、本明細書において検討される具体的な実施形態のいかなる適合例又は変形例をも網羅しようとするものである。したがって、本開示は、「特許請求の範囲」及びその等価物によってのみ限定されるものとする。本発明の実施態様の一部を以下の［項目１］−［項目１５］に記載する。
［項目１］
ディスプレイパネルと、
前記ディスプレイパネルに近接して配設された電気的に切替可能な拡散体であって、前記切替可能な拡散体は１つ又は２つ以上の領域を有し、かつ前記切替可能な拡散体は拡散体状態を有し、前記１つ又は２つ以上の領域のそれぞれが第１の状態、又は前記第１の状態とは異なる第２の状態になることが可能である、電気的に切替可能な拡散体と、
前記ディスプレイパネルと前記切替可能な拡散体との間に配設されるか、又は前記ディスプレイパネルと反対側の前記切替可能な拡散体に隣接して配設される、照明要素と、
拡散体状態を制御し、かつ前記ディスプレイパネルの出力レベルを制御するように構成された、拡散体コントローラと、を備える光学システムであって、
前記拡散体コントローラは、前記切替可能な拡散体の第１の拡散体状態を変えるかどうかを判定するように構成されており、前記拡散体コントローラが第１の拡散体状態を変えると判定する場合、前記拡散体コントローラは前記切替可能な拡散体を、前記第１の拡散体状態から第２の拡散体状態に第１の時間間隔にわたって切り替えるように構成されており、
前記拡散体コントローラは、前記第１の拡散体状態から前記第２の拡散体状態への変化と関連して前記ディスプレイパネルの出力レベルを変動するかどうかを判定するように構成されており、前記拡散体コントローラが前記出力レベルを変動すると判定する場合、前記拡散体コントローラは前記出力レベルを、前記第１の時間間隔と重なり合う第２の時間間隔にわたって変動するように構成されており、
前記拡散体コントローラは、少なくとも１つの拡散体状態の変化に関連して前記出力レベルを変動するように構成されている、光学システム。
［項目２］
前記切替可能な拡散体は双安定性である、項目１に記載の光学システム。
［項目３］
切換装置と、前記ディスプレイパネル及び前記照明要素を収容するディスプレイハウジングと、を更に備え、前記切替装置は前記ディスプレイハウジングから分離されており、前記切替装置は、前記ディスプレイハウジングが前記切替装置と近接した少なくとも１つの位置にあるときに、スイッチング波形を前記切替可能な拡散体に印加可能である、項目２に記載の光学システム。
［項目４］
ディスプレイパネルと、
前記ディスプレイパネルに近接して配設された、双安定性の、電気的に切替可能な拡散体であって、前記切替可能な拡散体は１つ又は２つ以上の領域を有し、前記切替可能な拡散体は拡散体状態を有し、前記１つ又は２つ以上の領域のそれぞれが第１の状態、又は前記第１の状態とは異なる第２の状態になることが可能である、双安定性の、電気的に切替可能な拡散体と、
前記ディスプレイパネルと前記切替可能な拡散体との間に配設されるか、あるいは前記ディスプレイパネルと反対側の前記切替可能な拡散体に隣接して配設される、照明要素と、
前記ディスプレイパネル、前記照明要素、及び前記切替可能な拡散体を収容する、ディスプレイハウジングと、
前記拡散体状態を制御するように構成された拡散体コントローラと、
前記ディスプレイハウジングの外にある切換装置であって、前記切換装置は、前記ディスプレイハウジングが前記切換装置に近接した少なくとも１つの位置にあるときに、スイッチング波形を前記切替可能な拡散体に印加可能である、切換装置と、を備える光学システムであって、
前記拡散体コントローラは、前記切替可能な拡散体の第１の拡散体状態を変えるべきかどうかを判定するように構成されており、前記拡散体コントローラが第１の拡散体状態を変えるべきと判定する場合で、かつ前記ディスプレイハウジングが前記切替装置に近接した少なくとも１つの位置にある場合には、前記拡散体コントローラは、前記切替可能な拡散体を、前記第１の拡散体状態から第２の拡散体状態に第１の時間間隔にわたって切り替えるために、前記切替装置に制御信号を提供するように構成されている、光学システム。
［項目５］
前記拡散体コントローラは、前記ディスプレイパネルの出力レベルを制御するように更に構成されている、項目４に記載の光学システム。
［項目６］
前記拡散体コントローラは、前記第１の拡散体状態から前記第２の拡散体状態への変化と関連して前記ディスプレイパネルの出力レベルを変動するかどうかを判定するように構成されており、前記拡散体コントローラが前記出力レベルを変動すると判定する場合、前記拡散体コントローラは、前記出力レベルを前記第１の時間間隔と重なり合う第２の時間間隔にわたって変動するように構成されている、項目５に記載の光学システム。
［項目７］
前記拡散体コントローラは、前記照明要素の照明レベルを変動することによって前記ディスプレイパネルの前記出力レベルを変動するように構成されている、項目１〜３又は５〜６のいずれか一項に記載の光学システム。
［項目８］
前記拡散体コントローラは、前記照明要素の照明レベルを減光することによって前記ディスプレイパネルの前記出力レベルを変動するように構成されている、項目７に記載の光学システム。
［項目９］
前記拡散体コントローラは、前記照明要素を、前記ディスプレイパネルの前記出力レベルを変動する前には、第１の照明レベルに、前記ディスプレイパネルの前記出力レベルを変動後には、前記第１の照明レベルとは異なる第２の照明レベルに設定するように構成されている、項目１〜３又は５〜６のいずれか一項に記載の光学システム。
［項目１０］
前記拡散体コントローラは、前記ディスプレイパネルに提供された映像コンテンツを変更することによって前記ディスプレイパネルの前記出力レベルを変動するように構成されている、項目１〜３又は５〜６のいずれか一項に記載の光学システム。
［項目１１］
前記拡散体コントローラは、前記照明要素の照明レベルを変動することによって、かつ前記ディスプレイパネルに提供された映像コンテンツを変更することによって、前記ディスプレイパネルの前記出力レベルを変動するように構成されている、項目１〜３又は５〜６のいずれか一項に記載の光学システム。
［項目１２］
前記切替可能な拡散体の前記１つ又は２つ以上の領域は、パッシブマトリックスアドレス指定可能な少なくとも４つの領域を含む、項目１〜６のいずれか一項に記載の光学システム。
［項目１３］
前記切替可能な拡散体はスメクチックＡ液晶を含む、項目１〜６のいずれか一項に記載の光学システム。
［項目１４］
前記切替装置は、電源と、波形生成ユニットと、パターン発生器とを更に備え、前記電源は前記波形生成ユニット及び前記パターン発生器に電力を供給するように構成され、前記パターン発生器は前記波形生成ユニットに直接的に又は間接的に提供されるパターン信号を生成するように構成され、前記波形生成ユニットは、前記ディスプレイハウジングが前記切替装置に近接した少なくとも１つの位置にあり、かつ前記拡散体コントローラが前記切替可能な拡散体の前記第１の拡散体状態を変えるべきと判定するときに、一つの波形を前記切替可能な拡散体に提供するように構成されている、項目３〜６のいずれか一項に記載の光学システム。
［項目１５］
前記切替装置は、キャリア発生器と変調器とを更に備え、前記電源が前記キャリア発生器と前記変調器に電力を供給するように構成され、前記パターン発生器が前記パターン信号を前記変調器に提供するように構成され、前記変調器が変調信号を前記波形生成ユニットに提供するように構成されている、項目１４に記載の光学システム。
【図１】
0006787793.tif 000002
【図２】
0006787793.tif 000003
【図３】
0006787793.tif 000004
【図４】
0006787793.tif 000005
【図５Ａ】
0006787793.tif 000006
【図５Ｂ】
0006787793.tif 000007
【図６】
0006787793.tif 000008
【図７】
0006787793.tif 000009
【図８Ａ】
0006787793.tif 000010
【図８Ｂ】
0006787793.tif 000011
【図９】
0006787793.tif 000012
【図１０】
0006787793.tif 000013
【図１１】
0006787793.tif 000014
【図１２】
0006787793.tif 000015
【図１３】
0006787793.tif 000016
【図１４】
0006787793.tif 000017
【図１５】
0006787793.tif 000018
【図１６】
0006787793.tif 000019